(57)【要約】無線接続システムにおいて移動端末がページンググループを移動する時に様々な位置更新を行う方法を提供する。この遊休モードの端末の位置更新方法は、移動端末の移動速度を示す移動速度情報を含むレンジング要請（ＲＮＧ−ＲＥＱ）メッセージを基地局に転送する段階と、基地局から新しいページンググループに関するページンググループ情報を含むレンジング応答（ＲＮＧ−ＲＳＰ）メッセージを受信する段階と、を含むことができる。ここで、新しいページンググループは移動速度情報に基づいて割り当てられることができる。【選択図】図１２
2011530856.tif 000002
【特許請求の範囲】
【請求項１】
遊休モードの移動端末の位置更新方法であって、
前記移動端末の移動速度を示す移動速度情報を含むレンジング要請（ＲＮＧ−ＲＥＱ）メッセージを基地局に転送する段階と、
前記基地局から新しいページンググループに関するページンググループ情報を含むレンジング応答（ＲＮＧ−ＲＳＰ）メッセージを受信する段階と、
を含み、
前記新しいページンググループは前記移動速度情報に基づいて割り当てられる、位置更新方法。
【請求項２】
前記移動速度は、前記移動端末の速度を低速、中速及び高速のうちの一つで表す、請求項１に記載の位置更新方法。
【請求項３】
前記遊休モードを開始するために登録解除要請メッセージを前記基地局に転送する段階と、
前記基地局から前記遊休モードの開始を許諾する登録解除命令メッセージを受信する段階と、
をさらに含む、請求項１に記載の位置更新方法。
【請求項４】
前記移動端末は一つ以上のページンググループに割り当てられる、請求項１に記載の位置更新方法。
【請求項５】
前記一つ以上のページンググループのうち、一つのページンググループは主ページンググループであり、残りのページンググループは副ページンググループである、請求項４に記載の位置更新方法。
【請求項６】
前記主ページンググループはラージページンググループであり、前記副ページンググループはスモールページンググループである、請求項５に記載の位置更新方法。
【請求項７】
前記主ページンググループはスモールページンググループであり、前記副ページンググループはラージページンググループである、請求項５に記載の位置更新方法。
【請求項８】
前記主ページンググループと前記副ページンググループは互いに異なる大きさを有する、請求項５に記載の位置更新方法。
【請求項９】
前記基地局は一つ以上のページンググループに属している、請求項１に記載の位置更新方法。
【請求項１０】
遊休モードの移動端末の位置更新を支援する方法であって、
前記移動端末の移動速度を示す移動速度情報を含むレンジング要請（ＲＮＧ−ＲＥＱ）メッセージを受信する段階と、
新しいページンググループに関するページンググループ情報を含むレンジング応答（ＲＮＧ−ＲＳＰ）メッセージを転送する段階と、
を含み、
前記新しいページンググループは前記移動速度情報に基づいて割り当てられる、位置更新支援方法。
【請求項１１】
前記移動速度は、前記移動端末の速度を低速、中速及び高速のうちの一つで表す、請求項１０に記載の位置更新支援方法。
【請求項１２】
前記遊休モードを開始するための登録解除要請メッセージを前記移動端末から受信する段階と、
前記移動端末に前記遊休モードの開始を許諾する登録解除命令メッセージを転送する段階と、をさらに含む、請求項１０に記載の位置更新支援方法。
【請求項１３】
前記移動端末は一つ以上のページンググループに割り当てられる、請求項１０に記載の位置更新支援方法。
【請求項１４】
前記一つ以上のページンググループのうち、一つのページンググループは主ページンググループであり、残りのページンググループは副ページンググループである、請求項１３に記載の位置更新支援方法。
【請求項１５】
前記主ページンググループはラージページンググループであり、前記副ページンググループはスモールページンググループである、請求項１４に記載の位置更新支援方法。
【請求項１６】
前記主ページンググループはスモールページンググループであり、前記副ページンググループはラージページンググループである、請求項１４に記載の位置更新支援方法。
【請求項１７】
前記主ページンググループと前記副ページンググループは互いに異なる大きさを有する、請求項１４に記載の位置更新支援方法。
【請求項１８】
前記基地局は一つ以上のページンググループに属している、請求項１０に記載の位置更新支援方法。
【請求項１９】
遊休モードで位置更新を行う移動端末であって、
前記移動端末は、前記移動端末の移動速度を示す移動速度情報を含むレンジング要請（ＲＮＧ−ＲＥＱ）メッセージを基地局に転送する手段と、
前記基地局から新しいページンググループに関するページンググループ情報を含むレンジング応答（ＲＮＧ−ＲＳＰ）メッセージを受信する手段と、
を含み、
前記新しいページンググループは前記移動速度情報に基づいて割り当てられる、移動端末。
【請求項２０】
遊休モードの移動端末の位置更新を支援する基地局であって、
前記移動端末の移動速度を示す移動速度情報を含むレンジング要請（ＲＮＧ−ＲＥＱ）メッセージを受信する手段と、
新しいページンググループに関するページンググループ情報を含むレンジング応答（ＲＮＧ−ＲＳＰ）メッセージを転送する手段と、
を含み、
前記新しいページンググループは前記移動速度情報に基づいて割り当てられる、基地局。
【発明の詳細な説明】
【技術分野】
【０００１】
本発明は、無線接続システムにおいて移動端末がページンググループを移動する際に様々な位置更新を行う方法に関するものである。
【背景技術】
【０００２】
以下では、本発明の実施例に関するページンググループ及び端末の遊休モードについて簡略に説明する。
【０００３】
図１は、複数の基地局からなるページンググループの一例を示す図である。
【０００４】
ページングとは、移動通信において着信呼の発生時に該当の移動端末（ＭＳ：Ｍｏｂｉｌｅ  Ｓｔａｔｉｏｎ）の位置（例えば、ある基地局またはある交換局など）を把握する機能のことをいう。図１に示すように、遊休モード（Ｉｄｌｅ  Ｍｏｄｅ）を支援する複数の基地局（ＢＳ：Ｂａｓｅ  Ｓｔａｔｉｏｎ）がページンググループ（Ｐａｇｉｎｇ  Ｇｒｏｕｐ）に含まれてページング領域を構成することができる。
【０００５】
ここで、ページンググループは論理的なグループのことを指す。ページンググループの目的は、移動端末（ＭＳ）をターゲット（ｔａｒｇｅｔ）とするトラフィックがある場合、ダウンリンク（ＤＬ：ＤｏｗｎＬｉｎｋ）でページ（ｐａｇｅ）されうる隣接範囲領域を提供することにある。ページンググループは、特定の端末が大部分の時間を同一のページンググループ内で存在できる程度に十分に大きく、ページング負荷が適正なレベルを維持するように十分に小さいものでなければならないという条件を満たすことが好ましい。
【０００６】
図１は、６角形の格子に位置する多重基地局上において定義された４個のページンググループを示す。一つの基地局は一つまたはそれ以上のページンググループに含まれることができる。ページンググループは管理システムで定義する。ページンググループでは、ページンググループ−実行（ａｃｔｉｏｎ）バックボーンネットワークメッセージを用いることができる。また、ページング制御器は、バックボーンネットワークメッセージの一つであるページング公知（ｐａｇｉｎｇ−ａｎｎｏｕｎｃｅ）メッセージを用いて遊休モードにある端末のリストを管理し、ページンググループに属する全ての基地局の初期ページングを管理することができる。
【０００７】
遊休モードは、一般に、端末が、多重基地局で構成された無線リンク環境を移動する時に、特定の基地局に登録しなくてもダウンリンク（ＤＬ）ブロードキャストトラフィックを周期的に転送できるように支援する動作のことをいう。
【０００８】
遊休モードは、ハンドオーバーと関連した活性要求及び一般的な運営要求を除去することによって端末に利益をもたらすことができる。遊休モードは、端末の活動を離散周期でスキャニングするように制限することによって、端末の使用する電力及び運用リソースを節約することができる。
【０００９】
また、遊休モードは、端末にペンディング（ｐｅｎｄｉｎｇ）中のダウンリンクトラフィックについて知らせうる簡単で適当な方式を提供し、非活動的な端末から無線インターフェース及びネットワークハンドオーバー（ＨＯ：Ｈａｎｄ  Ｏｖｅｒ）トラフィックを除去することによって、ネットワーク及び基地局に利益をもたらすことができる。
【発明の概要】
【発明が解決しようとする課題】
【００１０】
本発明は、上記の一般的な技術の問題点を解決するために案出されたもので、その目的は、効率的な通信方法を提供することにある。
【００１１】
本発明の他の目的は、遊休モード状態の移動端末がページンググループを移動する場合に効率的に位置更新を行う方法を提供することにある。
【００１２】
本発明のさらに他の目的は、階層的ページンググループの概念を導入することによって、各ページンググループ階層間またはページンググループ階層内で効率的なページングを行う方法を提供することにある。
【００１３】
本発明のさらに他の目的は、ページンググループをラージページンググループ及びスモールページンググループとに分けて運営することによって、移動端末がページンググループをスモールページンググループからラージページンググループに変更する方法、及びラージページンググループからスモールページンググループに変更する方法を提供することにある。また、特定のラージページンググループから別のラージページンググループにページンググループを変更する方法を提供することにある。
【課題を解決するための手段】
【００１４】
上記の技術的課題を解決するために、本発明は、無線接続システムにおいて移動端末がページンググループを移動する際に様々な位置更新を行う方法を提供する。
【００１５】
本発明の一様態として、遊休モードの端末の位置更新方法は、ページンググループタイマー及び所定の放送チャネル周期情報を含む第１ページング情報を含むメッセージを受信する段階と、ページンググループタイマー時間に、所定の放送チャネル周期情報に基づいて一つ以上の第１放送チャネルを検索する段階と、一つ以上の第１放送チャネルに含まれたカウンター値が所定の臨界値を越えない場合に、端末がページンググループを変更する段階と、を含むことができる。
【００１６】
上記本発明の一様態において、前記ページンググループを変更する段階は、端末が位置更新を行うためにページング要請メッセージを転送する段階と、第２ページング情報を含むページング応答メッセージを受信する段階と、をさらに含むことができる。
【００１７】
ここで、前記ページンググループタイマーはラージページンググループタイマーであり、カウンター値はスモールページンググループ変更カウンターであり、所定の臨界値はスモールページンググループ変更臨界値であり、ページング要請メッセージは、ラージページンググループからスモールページンググループにページンググループを変更するためのスモールページンググループ識別子を含むことができる。
【００１８】
また、前記第１放送チャネルは、ネットワークで共通して用いられる情報が割り当てられる主放送チャネル、及び特定のセルまたはスモールページンググループで用いられる情報が割り当てられる副放送チャネルを含むことができる。
【００１９】
また、前記スモールページンググループ変更カウンターは前記副放送チャネルに割り当てられることが好ましい。ここで、所定の放送チャネル周期情報は、周期的な所定の固定した周期を示すことができる。ここで、ラージページンググループカウンターが満了すると、ラージページンググループカウンターはリセットされることができる。また、前記ラージページンググループカウンターが満了すると、放送チャネルを検索する段階は省略され、直接スモールページンググループにページンググループを変更することができる。
【００２０】
上記本発明の一様態において、第１ページング情報は、端末がスモールページンググループからラージページンググループに変更されたことを示すラージページンググループ識別子をさらに含み、第２ページング情報は、端末に割り当てられたスモールページンググループ識別子を含むことができる。
【００２１】
上記本発明の一様態は、端末が正規モードである時の移動速度を測定する段階と、移動速度に基づいて端末が割り当てられるページンググループを決定する段階と、をさらに含むことができる。ここで、第１ページング情報は、端末に最初に割り当てられたページンググループがラージページンググループであることを示すラージページンググループ識別子をさらに含むことができる。
【００２２】
上記本発明の一様態は、正規モード状態の端末が遊休状態への進入時に割り当てられるページンググループタイプを決定するための所定のパラメータを含む第２放送チャネルを受信する段階と、所定のパラメータを用いてページンググループタイプを決定する段階と、決定された前記ページンググループタイプを含むメッセージを転送する段階と、をさらに含むことができる。ここで、前記所定のパラメータは、端末速度臨界値パラメータ、最大ハンドオーバーカウントパラメータ、呼パケット到着率臨界値パラメータ、及び最大選好基地局カウンターパラメータのうち一つ以上を含むことができる。また、前記所定のパラメータは、前記第１放送チャネルにも含まれることができる。この場合には、端末は遊休モード状態においても效率的にページンググループタイプを変更することができる。
【００２３】
上記本発明の一様態において、ページンググループタイマーは、スモールページンググループタイマーであり、カウンター値は、スモールページンググループ変更カウンターであり、ページング要請メッセージは、第１スモールページンググループから第２スモールページンググループにページンググループを変更するための第２スモールページンググループ識別子を含むことができる。
【００２４】
本発明の他の様態として、遊休モードの端末に対する位置更新方法は、ラージページンググループタイマー及び所定の放送チャネル周期情報を含む第１ページング情報を含むメッセージを転送する段階と、スモールレンジンググループ変更カウンターを含む放送チャネルを周期的に転送する段階と、スモールレンジンググループ変更カウンター値がスモールレンジンググループ変更臨界値を越えない場合には、端末のページンググループを変更するために、端末と位置更新を行う段階と、を含むことができる。ここで、前記放送チャネルは、スモールレンジンググループ変更臨界値をさらに含むことができる。
【００２５】
上記本発明の他の様態において、前記位置更新を行う段階は、端末からページング要請メッセージを受信する段階と、第２ページング情報を含むページング応答メッセージを転送する段階と、をさらに含むことができる。
【００２６】
本発明のさらに他の様態として、遊休モードの移動端末の位置更新方法は、前記移動端末の移動速度を示す移動速度情報を含むレンジング要請（ＲＮＧ−ＲＥＱ）メッセージを基地局に転送する段階と、基地局から新しいページンググループに関するページンググループ情報を含むレンジング応答（ＲＮＧ−ＲＳＰ）メッセージを受信する段階と、を含むことができる。ここで、新しいページンググループは、前記移動速度情報に基づいて割り当てられることができる。
【００２７】
移動速度は、移動端末の速度を低速、中速及び高速のうち一つで表すことができる。
【００２８】
上記さらに他の様態は、遊休モードを開始するために登録解除要請メッセージを基地局に転送する段階と、基地局から遊休モードの開始を許諾する登録解除命令メッセージを受信する段階と、をさらに含むことができる。
【００２９】
前記移動端末は一つ以上のページンググループに割り当てられることができる。このとき、一つ以上のページンググループのうち一つのページンググループは、主ページンググループであり、残りのページンググループは副ページンググループであると良い。また、主ページンググループはラージページンググループであり、副ページンググループはスモールページンググループである。または、主ページンググループはスモールページンググループであり、副ページンググループはラージページンググループである。
【００３０】
ここで、主ページンググループと副ページンググループは、互いに異なる大きさを有することができる。
【００３１】
また、基地局は一つ以上のページンググループに属していることができる。
【００３２】
本発明のさらに他の様態として、遊休モードの移動端末の位置更新を支援する方法は、移動端末の移動速度を示す移動速度情報を含むレンジング要請（ＲＮＧ−ＲＥＱ）メッセージを受信する段階と、新しいページンググループに関するページンググループ情報を含むレンジング応答（ＲＮＧ−ＲＳＰ）メッセージを転送する段階と、を含むことができる。ここで、新しいページンググループは、移動速度情報に基づいて割り当てられることができる。
【００３３】
前記移動速度は、前記移動端末の速度を低速、中速及び高速のうちの一つと示すことができる。
【００３４】
上記さらに他の様態は、遊休モードを開始するための登録解除要請メッセージを移動端末から受信する段階と、移動端末に遊休モードの開始を許諾する登録解除命令メッセージを転送する段階と、をさらに含むことができる。
【００３５】
前記移動端末は一つ以上のページンググループに割り当てられることができる。
【００３６】
前記一つ以上のページンググループのうち一つのページンググループは主ページンググループであり、残りのページンググループは副ページンググループである。このとき、主ページンググループはラージページンググループとし、副ページンググループはスモールページンググループとすることができる。または、主ページンググループはスモールページンググループとし、副ページンググループはラージページンググループとすることもできる。
【００３７】
ここで、主ページンググループと副ページンググループは、互いに異なる大きさを有することができる。
【００３８】
前記基地局は一つ以上のページンググループに属していることができる。
【００３９】
本発明のさらに他の様態として、遊休モードで位置更新を行う移動端末は、移動端末の移動速度を示す移動速度情報を含むレンジング要請（ＲＮＧ−ＲＥＱ）メッセージを基地局に転送する手段と、基地局から新しいページンググループに関するページンググループ情報を含むレンジング応答（ＲＮＧ−ＲＳＰ）メッセージを受信する手段と、を含むことができる。ここで、新しいページンググループは、移動速度情報に基づいて割り当てられることができる。
【００４０】
遊休モードの移動端末の位置更新を支援する基地局は、移動端末の移動速度を示す移動速度情報を含むレンジング要請（ＲＮＧ−ＲＥＱ）メッセージを受信する手段と、新しいページンググループに関するページンググループ情報を含むレンジング応答（ＲＮＧ−ＲＳＰ）メッセージを転送する手段と、を含むことができる。新しいページンググループは、移動速度情報に基づいて割り当てられることができる。
【発明の効果】
【００４１】
本発明の実施例によれば下記のような効果が得られる。
【００４２】
第一に、本発明の実施例によれば効率的な通信を行うことが可能になる。
【００４３】
第二に、遊休モードにある端末がページンググループを変更する際に、效率的に位置更新を行うことができる。
【００４４】
第三に、階層的ページンググループ構造を用いることによって、ページングメッセージオーバーヘッド及びブロードキャストページングメッセージオーバーヘッドを減らすことができる。
【００４５】
第四に、ラージページンググループからスモールページンググループにページンググループを変更する方法を提供することによって、余分のシグナリングオーバーヘッドを減らすことができる。
【００４６】
本発明の実施例から得られる効果は、以上に言及した効果に制限されず、言及していない別の効果は、以下の本発明の実施例についての記載から、本発明の属する技術の分野における通常の知識を有する者には明確に導出及び理解されるであろう。すなわち、本発明の実施に当たって意図しなかった効果も同様、本発明の実施例から当該技術の分野における通常の知識を有する者にとっては導出可能である。
【図面の簡単な説明】
【００４７】
本発明の理解を容易にするために添付した図面は、本発明の実施例を示し、本発明の技術を説明するのに用いられることができる。
【図１】複数の基地局からなるページンググループの一例を示す図である。
【図２】無線接続システムの一つであるＩＥＥＥ  ８０２．１６システムにおけるページング手順を示す図である。
【図３】本発明の一実施例であって、ラージページンググループ及びスモールページンググループの地域的概念図である。
【図４】本発明の一実施例であって、端末の最大及び最小速度を用いて端末の平均速度を求める一例を示す図である。
【図５】本発明の一実施例であって、区間サンプリングを用いて平均速度を求める一例を示す図である。
【図６】本発明の一実施例であって、基地局で端末の移動速力を計算する方法を示す図である。
【図７】本発明の一実施例であって、ユーザーの応用特性情報を用いてページンググループを割り当てる方法を示す図である。
【図８】本発明の他の実施例によって端末でページンググループを変更する過程を示すフローチャートである。
【図９】本発明のさらに他の実施例に係る階層的ページンググループによるフレーム構造を示す図である。
【図１０】本発明のさらに他の実施例であって、ページンググループ変更方法の一例を示す図である。。
【図１１】本発明のさらに他の実施例であって、ＬＰＧからＳＰＧにページンググループを変更するための位置更新方法を示す図である。
【図１２】本発明の実施例によってページンググループを変更するための位置更新過程を示す図である。
【図１３】本発明のさらに他の実施例であって、端末がページンググループを決定する方法の一例を示す図である。
【発明を実施するための形態】
【００４８】
本発明の実施例は、移動端末がページンググループを移動する際に位置更新を行う様々な方法を開示する。
【００４９】
以下の実施例は、本発明の構成要素及び特徴を所定の形態として結合したものである。各構成要素または特徴は、別の明示的な言及がない限り、選択的なものとして考慮することができる。各構成要素または特徴は、他の構成要素や特徴と結合しない形態として実施することもできる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、他の実施例の対応する構成または特徴に取って代わることもできる。
【００５０】
図面に関する説明において、本発明の要旨を曖昧にさせるとされる手順または段階などは説明を省略し、当業者のレベルで理解できるような手順または段階も説明を省略するものとする。
【００５１】
本明細書において、本発明の実施例は、基地局と端末間のデータ送受信関係を中心に説明された。ここで、基地局は、端末と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００５２】
すなわち、基地局を含む多数のネットワークノード（ｎｅｔｗｏｒｋ  ｎｏｄｅｓ）からなるネットワークにおいて端末との通信のために行われる種々の動作は、基地局または基地局以外の別のネットワークノードにより行われることができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、発展された基地局（ＡＢＳ：Ａｄｖａｎｃｅｄ  Ｂａｓｅ  Ｓｔａｔｉｏｎ）またはアクセスポイント（ａｃｃｅｓｓ  ｐｏｉｎｔ）などの用語に代替可能である。また、‘移動端末（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、発展された移動端末（ＡＭＳ：Ａｄｖａｎｃｅｄ  Ｍｏｂｉｌｅ  Ｓｔａｔｉｏｎ）または携帯端末（Ｍｏｂｉｌｅ  Ｔｅｒｍｉｎａｌ）などの用語に代替可能である。
【００５３】
また、送信端は、データまたは音声サービスを提供するノードのことをいい、受信端は、データまたは音声サービスを受信するノードを意味する。したがって、アップリンクでは端末を送信端とし、基地局を受信端とすることができる。同様に、ダウンリンクでは端末を受信端とし、基地局を送信端とすることができる。
【００５４】
一方、本発明で、移動端末には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００５５】
本発明の実施例は様々な手段によって具現することができる。例えば、本発明の実施例は、ハードウェア、ファームウェア（ｆｉｒｍｗａｒｅ）、ソフトウェアまたはそれらの結合などにより具現することができる。
【００５６】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラー、マイクロコントローラー、マイクロプロセッサーなどにより具現することができる。
【００５７】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサーにより駆動されることができる。メモリーユニットは、プロセッサーの内部または外部に設けられて、既に公知の様々な手段によりプロセッサーとデータを交換することができる。
【００５８】
本発明の実施例は、無線接続システムであるＩＥＥＥ  ８０２システム、３ＧＰＰシステム、３ＧＰＰ  ＬＴＥシステム及び３ＧＰＰ２システムのうちの少なくとも一つに開示された標準文書によりサポートされることができる。すなわち、本発明の実施例のうち、本発明の技術的思想を明確にするために説明を省略した段階または部分は、これらの文書によりサポートすることができる。また、本文書で開示している用語はいずれも上記の標準文書により説明されることができる。特に、本発明の実施例は、ＩＥＥＥ  ８０２．１６システムの標準文書であるＰ８０２．１６ｅ−２００５またはＰ８０２．１６Ｒｅｖ２文書によりサポートされることができる。
【００５９】
以下の説明で使われる特定用語は、本発明の理解を助けるために提供されたものであり、このような特定用語の使用は、本発明の技術的思想を逸脱しない範囲で別の形態に変更することもできる。
【００６０】
図２は、無線接続システムの一つであるＩＥＥＥ  ８０２．１６システムにおけるページング手順を示す図である。
【００６１】
遊休モード（Ｉｄｌｅ  Ｍｏｄｅ）でページングはページンググループ単位で行われることがてきる。例えば、移動端末は、一つあるいは複数のページンググループに属することができる。各ページンググループのページング制御器（ＰＣ：Ｐａｇｉｎｇ  Ｃｏｎｔｒｏｌｌｅｒ）は、呼（Ｃａｌｌ）や外部ネットワークから移動端末に転送するユーザーパケット（Ｕｓｅｒ  Ｐａｃｋｅｔ）が入る場合、移動端末を探すページングを行う。この時、ページング制御器は、ページンググループ内の全ての基地局にページングメッセージを伝達し、これを受信した各基地局は移動端末にページング広告（ＭＯＢ＿ＰＡＧ−ＡＤＶ）メッセージをブロードキャストする方式でページングを行うことができる。
【００６２】
図２を参照すると、移動端末は、正規モード（Ｎｏｒｍａｌ  ｍｏｄｅ）から遊休モードに進入するために、サービング基地局に登録解除要請（ＭＯＢ＿ＤＲＥＧ−ＲＥＱ）メッセージを転送する（Ｓ２０１）。
【００６３】
登録解除要請メッセージを受信したサービング基地局は、ページング制御器と端末情報及びサービング基地局情報を送受信することができる。すなわち、サービング基地局は、遊休モードに進入する端末識別子及びサービング基地局識別子をページング制御器に知らせることができる。また、ページング制御器は、ページンググループ識別子（Ｐａｇｉｎｇ  Ｇｒｏｕｐ  ＩＤ）またはページング制御器識別子情報をサービング基地局に知らせることができる。ページンググループ識別子またはページング制御器識別子は、ページングメッセージを送受信するのに用いられることができる（Ｓ２０２）。
【００６４】
サービング基地局は、登録解除要請メッセージに対する応答として登録解除命令（ＭＯＢ＿ＤＲＥＧ−ＣＭＤ）メッセージを移動端末に転送することができる。登録解除命令メッセージは、ページング情報（例えば、ページング周期（Ｐａｇｉｎｇ  Ｃｙｃｌｅ）、ページングオフセット（Ｐａｇｉｎｇ  Ｏｆｆｓｅｔ）及びページング聴取区間（Ｐａｇｉｎｇ  Ｌｉｓｔｅｎ  Ｉｎｔｅｒｖａｌ））を含むことができる。また、登録解除命令メッセージは、ページング制御器識別子及びページンググループ識別子をさらに含むことができる（Ｓ２０３）。
【００６５】
ＭＯＢ＿ＤＲＥＧ−ＣＭＤメッセージを確認した移動端末は、遊休モードに進入する。移動端末は、ＭＯＢ＿ＤＲＥＧ−ＣＭＤメッセージを通じて受信したページング情報に基づいてページングメッセージを受信することができる。すなわち、移動端末は、ページング聴取区間では、自身に伝達されるページングメッセージがあるか否か無線チャネル（Ｃｈａｎｎｅｌ）をモニターし、その他の時間では、睡眠モード（Ｓｌｅｅｐ  ｍｏｄｅ  ｏｒ  Ｒａｄｉｏ  Ｔｕｒｎ  ｏｆｆ）で動作することで、バッテリー（Ｐｏｗｅｒ）消耗を減らすことができる（Ｓ２０４）。
【００６６】
ページング制御器に呼または外部パケットが入ることができる（Ｓ２０５）。
【００６７】
ページング制御器は、呼または外部パケットを受信した場合、ページング手順を行うことができる。この時、ページング制御器は、ページンググループ内の全ての基地局にページングメッセージを伝達する（Ｓ２０６）。
【００６８】
ページングメッセージを受信したページンググループ内の基地局は、自身の管理する移動端末にＭＯＢ＿ＰＡＧ−ＡＤＶメッセージをブロードキャストする（Ｓ２０７）。
【００６９】
移動端末はＭＯＢ＿ＰＡＧ−ＡＤＶメッセージを確認し、ページング制御器が自身をページングした場合、正規モードに進入してサービング基地局と通信を行うことができる（Ｓ２０８、Ｓ２０９）。
【００７０】
以下では、本発明の実施例で用いられうる位置更新手順について詳細に説明する。
【００７１】
遊休モード状態にある端末は、様々な始発条件によって位置更新を行うことができる。その第一に、端末は、自身のページンググループが変更された場合に位置更新を行うことができる。第二に、端末は、位置更新タイマー（Ｌｏｃａｔｉｏｎ  Ｕｐｄａｔｅ  Ｔｉｍｅｒ）が満了した場合に位置更新を行うことができる。また、電力ダウン更新（Ｐｏｗｅｒ  Ｄｏｗｎ  Ｕｐｄａｔｅ）及びＭＡＣハッシュスキップ臨界値更新（ＭＡＣ  ｈａｓｈ  ｓｋｉｐ  ｔｈｒｅｓｈｏｌｄ  ｕｐｄａｔｅ）方法などを支援することができる。
【００７２】
１．階層的ページンググループ割当構造及びページンググループ割当方法
図３は、本発明の一実施例であって、ラージページンググループ及びスモールページンググループの地域的概念図である。
【００７３】
本発明の実施例で、基地局は、ページング周期及びページングオフセットが異なる一つ以上のページンググループに属することができる。また、移動端末には一つ以上のページンググループが割り当てられることができる。
【００７４】
図３を参照すると、ラージページンググループ（ＬＰＧ：Ｌａｒｇｅ  Ｐａｇｉｎｇ  Ｇｒｏｕｐ）及びスモールページンググループ（ＳＰＧ：Ｓｍａｌｌ  Ｐａｇｉｎｇ  Ｇｒｏｕｐ）の地域的位置関係が把握できる。ＬＰＧは、一つ以上のＳＰＧを含むことができ、一つのＬＰＧには一つのページング制御器（ＰＣ：Ｐａｇｉｎｇ  Ｃｏｎｔｒｏｌｌｅｒ）が位置することができる。また、一つ以上のＬＰＧに一つのページング制御器が用いられることもできる。この時、ページング制御器は、特定の端末に対する呼（Ｃａｌｌ）またはパケットが発生すると、ＬＰＧまたはＳＰＧにページングメッセージを転送することができる。
【００７５】
図３に示すように、ＳＰＧ１に属する移動端末Ａをページングするために、ページング制御器（ＰＣ）はＳＰＧ１にのみページング信号（Ｐａｇｉｎｇ  Ｓｉｇｎａｌ）をブロードキャストすることができる。また、ページング制御器（ＰＣ）は、ＬＰＧに属する端末Ｂをページングするために、全体ＬＰＧ領域にページング信号をブロードキャストすることができる。
【００７６】
このように、ページンググループを階層的構造として運営する場合（例えば、ＬＰＧ及びＳＰＧ）、移動端末にとってはページングメッセージをデコーディングするオーバーヘッドを減らすことができ、ネットワークにとっては、ブロードキャストするページングメッセージのオーバーヘッドを減らすことができる。
【００７７】
本発明の実施例において様々な構造のネットワーク（ｎｅｔｗｏｒｋ）を構成して使用することができる。
【００７８】
第一に、全体ネットワーク（ｗｈｏｌｅ  ｎｅｔｗｏｒｋ）は一つ以上のＬＰＧを含み、一つのＬＰＧは一つ以上のＳＰＧを含むネットワークを構成することができる（複数のＬＰＧ及び複数のＳＰＧが存在するネットワーク）。
【００７９】
第２に、全体ネットワークとＬＰＧの大きさを同一に構成することができる。すなわち、全体ネットワークは一つのＬＰＧで構成され、一つのＬＰＧは一つ以上のＳＰＧを含むことができる（一つのＬＰＧ及び複数のＳＰＧが存在するネットワーク）。
【００８０】
図３のように階層的なページンググループを運用する場合、サービング基地局は移動端末にスモールページンググループまたはラージページンググループを割り当てることができる。したがって、サービング基地局は移動端末にＬＰＧ  ＩＤ（ＬＰＧ  Ｉｄｅｎｔｉｆｉｅｒ）及び／またはＳＰＧ  ＩＤ（ＳＰＧ  Ｉｄｅｎｔｉｆｉｅｒ）を割り当てることができる。
【００８１】
図３で、全体ネットワークがＮ個のＬＰＧを含む場合、ＬＰＧ  ＩＤ及びＳＰＧ  ＩＤを運用する方法を説明する。
【００８２】
第一、ユーザーは、各ＬＰＧにＳＰＧを連動して使用することができる。すなわち、ＳＰＧ  ＩＤは各ＬＰＧごとに新しく割り当てられることによって、移動端末はＬＰＧ  ＩＤ及びＳＰＧ  ＩＤを用いて自身の位置を識別することができる。例えば、一つのネットワークは、ＬＰＧ＃１，ＬＰＧ＃２，…，ＬＰＧ＃Ｎを含み、ＬＰＧ＃１は、ＳＰＧ＃１，ＳＰＧ＃２，…，ＳＰＧ＃Ｍを含むことができる。また、ＬＰＧ＃２は、ＳＰＧ＃１，ＳＰＧ＃２，…，ＳＰＧ＃Ｌを含むことができる。このような方式によって移動端末及び基地局はＬＰＧ  ＩＤ及びＳＰＧ  ＩＤを用いて自身の位置を把握することができる。
【００８３】
第二、ユーザーはＳＰＧをＬＰＧと独立して使用することができる。すなわち、ＳＰＧ  ＩＤはＬＰＧ  ＩＤとは無関係に別に割り当てられることによって、移動端末はＳＰＧ  ＩＤを用いて自身の位置及びＬＰＧを識別することができる。例えば、一つのネットワークは、３個のＬＰＧ及び２０個のＳＰＧを含むとしよう。この場合、ＬＰＧ＃１は、ＳＰＧ＃１，ＳＰＧ＃２，…，ＳＰＧ＃５を含み、ＬＰＧ＃２は、ＳＰＧ＃６、ＳＰＧ＃７，…，ＳＰＧ＃１４を含み、ＬＰＧ＃３は、ＳＰＧ＃１５，ＳＰＧ＃１６，…，ＳＰＧ＃２０を含むことができる。
【００８４】
第二の方法において、ページンググループ領域は一度固定されると変更し難いと仮定する。また、移動端末及び基地局は、各ページンググループの属する地域的領域を互いに知っており、各ページンググループに対する識別子から、特定の端末の属するページング領域を識別することができる。例えば、移動端末に割り当てられたＳＰＧ  ＩＤがＳＰＧ＃９であれば、移動端末は、自身の属するＬＰＧがＬＰＧ＃２であることも把握できる。
【００８５】
サービング基地局、ページング制御器または移動端末は、移動端末が遊休モードに進入する際に、端末の属するページンググループを決定することができる。
【００８６】
最初に移動端末にページンググループを割り当てる方法は、下記の通りである。
【００８７】
第一の方法として、サービング基地局は、移動端末が遊休モードに進入する時に、最初には無条件で特定ＳＰＧを割り当てることができる。
【００８８】
第二の方法として、移動端末及びサービング基地局は、移動端末のヒストリー情報（ｈｉｓｔｏｒｙ  ｉｎｆｏｒｍａｔｉｏｎ）を用いて最初のページンググループを決定することができる。例えば、移動端末が遊休モードに進入する前に正規モードで動作する間に、移動端末の移動速度が速いと最初からＬＰＧを割り当て、移動端末の移動速度が遅いと、最初からＳＰＧを割り当てることができる。
【００８９】
本発明の一実施例は、正規モードで移動端末の移動速度を測定する様々な方法を開示する。
【００９０】
例えば、特定時間に、移動端末のハンドオーバー回数または移動端末に対するドップラー周波数変化（ｄｏｐｐｌｅｒ  ｆｒｅｑｕｅｎｃｙ）を用いて移動端末の移動速度を測定することができる。また、移動端末の現在時点での移動速度を測定でき、既に設定された区間における移動端末の平均速度を求めることができる。
【００９１】
移動端末に一つ以上のページンググループが割り当てられる場合、移動端末のページンググループのうちの一つを主ページンググループとすることができ、残りのページンググループを副ページンググループとすることができる。例えば、本発明の実施例で、ラージページンググループ（ＬＰＧ）は副ページンググループ（Ｓｅｃｏｎｄａｒｙ  Ｐａｇｉｎｇ  Ｇｒｏｕｐ）と同じ概念とすることができ、スモールページンググループ（ＳＰＧ）は主ページンググループ（Ｐｒｉｍａｒｙ  Ｐａｇｉｎｇ  Ｇｒｏｕｐ）と同じ概念とすることができる。もちろん、スモールページンググループが副ページンググループに設定される場合には、ラージページンググループを主ページンググループとすることができる。
【００９２】
移動端末が一つのページンググループにのみ割り当てられる場合には、一つのページンググループは、主ページンググループと考慮することができる。
【００９３】
図４は、本発明の一実施例であって、移動端末の最大及び最小速度を用いて移動端末の平均速度を求める一例を示す。
【００９４】
図４を参照すると、移動端末は既に設定された特定区間（ｐｒｅ−ｄｅｆｉｎｅｄ  Ｄｕｒａｔｉｏｎ）で最大速力値及び最小速力値を用いて移動端末の平均速力を求めることができる。
【００９５】
下記の数学式１は、移動端末の平均速力を求める一例を表すものである。
【００９６】
【数１】
2011530856.tif 000003
図５は、本発明の一実施例であって、区間サンプリングを用いて平均速度を求める一例を示す。
【００９７】
図５を参照すると、端末は、既に設定された区間において複数のサンプリング（ｓａｍｐｌｉｎｇ）区間を定めることができる。各サンプリング区間の速力を合算した値を用いて、下記の数学式２のように端末の平均速度を求めることができる。
【００９８】
【数２】
2011530856.tif 000004
数学式２で、ｎはサンプリング区間の個数を表す。
【００９９】
図５の方法を拡張して移動端末の速度を求めることができる。例えば、端末の移動速度を求める過程において、以前の時間よりは最近の時間に大きい重み値を与え、最近の速力を平均により多く反映して端末の速力を求めることができる。また、特定の時間に重み値を与えて、特定時間における端末の速力をより多く反映することもできる。
【０１００】
下記の数学式３は、数学式２の方法を拡張して端末の移動速度を求める一例を表すものである。
【０１０１】
【数３】
2011530856.tif 000005
数学式３で、ｎはサンプリング区間の個数を表し、αは時間による重み値を表す。αの範囲は、０≦α≦１であり、α値の範囲によって特定時間の速力値に重みをつけて平均速力を求めることができる。最近の速力に相対的に大きい重みをつける理由は、現在の端末の速度が、近い将来の端末速度に相対的に大きく影響を与えうるからである。最近の端末速力に相対的に大きい重みをつけるためには、α１，α２，…，αｎの順に数字が増加する場合、α１＜α２＜…＜αｎの順に重みを増加させればよい。
【０１０２】
端末は、上記のようにして測定した端末の移動速力を、遊休モードへの進入時にＤＲＥＧ−ＲＥＱメッセージに含めて基地局に転送することができる。基地局またはページング制御器は、ＤＲＥＧ−ＲＥＱメッセージに含まれた端末の速度情報に基づいて階層的ページンググループを割り当てることができる。したがって、基地局またはページング制御器は、ＤＲＥＧ−ＣＭＤを用いて端末に階層的ページンググループを割り当てることができる。
【０１０３】
図６は、本発明の一実施例であって、基地局で端末の移動速力を計算する方法を示す図である。
【０１０４】
基地局は、端末が周期的に転送するチャネル品質指示子チャネル報告（ＣＱＩＣＨ：Ｃｈａｎｎｅｌ  Ｑｕａｌｉｔｙ  Ｉｎｄｉｃａｔｏｒ  Ｃｈａｎｎｅｌ  Ｒｅｐｏｒｔ）メッセージを用いて端末の速力を測定することができる。
【０１０５】
図６を参照すると、一般モードで基地局は端末に一つ以上のデータを様々な時間間隔で転送することができる（Ｓ６０１）。
【０１０６】
端末は、基地局から受信したデータに対するＣＱＩＣＨを基地局に転送することができる。この時、基地局は、各ＣＱＩＣＨを受信して端末の移動速力を測定することができる（Ｓ６０２）。
【０１０７】
また、基地局は、Ｓ６０２段階で測定した端末の速力情報（ＭＳ  ｓｐｅｅｄ  ｉｎｆｏｒｍａｔｉｏｎ）をページング制御器に伝達することができる。ページング制御器は、基地局の外部に別個の個体として存在することもでき、基地局の内部で上位個体として存在することもできる（Ｓ６０３）。
【０１０８】
移動端末は、遊休モードに進入するために登録解除要請メッセージを基地局に転送することができる（Ｓ６０４）。
【０１０９】
基地局またはページング制御器は、Ｓ６０２段階またはＳ６０３段階で獲得した移動端末の速力情報を用いて端末にページンググループを割り当てることができる。この時、ページンググループは、図３で説明した階層的ページンググループとすることが好ましい。ページング制御器は、当該端末の速力情報に基づいて端末に階層的ページンググループを割り当て、これに関する情報（例えば、ページンググループ識別子など）をサービング基地局に伝達することができる（Ｓ６０５）。
【０１１０】
基地局は、登録解除命令（ＤＲＥＧ−ＣＭＤ）メッセージを用いて、ページング制御器から受信した階層的ページンググループに関する情報を端末に転送することができる（Ｓ６０６）。
【０１１１】
図６では、基地局で端末の速度情報を獲得し、ページング制御器で端末に割り当てるページンググループを端末の速度情報を用いて決定するとしたが、ユーザーの要求事項や該当の通信環境に応じて基地局で端末に割り当てるページンググループを端末の速度情報を用いて決定することもできる。
【０１１２】
図７は、本発明の一実施例であって、ユーザーの応用特性情報を用いてページンググループを割り当てる方法を示す図である。
【０１１３】
端末が遊休モードに進入する際に、ページング制御器は、ユーザー応用特性（Ｕｓｅｒ  Ａｐｐｌｉｃａｔｉｏｎ  Ｃｈａｒａｃｔｅｒｉｓｔｉｃ）情報を用いて端末に一つ以上のページンググループを割り当てることができる。本発明の実施例では、ユーザー応用特性情報のうちの一つとしてＶｏＩＰサービスを使用することができる。もちろん、その他のユーザー応用特性情報を用いることもできる。
【０１１４】
正規モード（Ｎｏｒｍａｌ  Ｍｏｄｅ）で基地局は端末に一つ以上のＶｏＩＰ呼を伝達することができる。この時、端末はＶｏＩＰ呼を用いて呼到着率（Ｃａｌｌ  Ａｒｒｉｖａｌ  Ｒａｔｅ）及び／または端末の移動速度を判断することができる（Ｓ７０１）。
【０１１５】
端末は、遊休モードに進入するために登録解除要請（ＤＲＥＧ−ＲＥＱ）メッセージを基地局に転送することができる。この時、端末は、Ｓ７０１段階で獲得したユーザー応用特性情報（例えば、呼到着率）をＤＲＥＧ−ＲＥＱメッセージに含めて基地局に転送することができる。この時、端末は、登録解除要請メッセージに端末の移動速度情報（ｍｏｂｉｌｉｔｙ  ｉｎｆｏｒｍａｔｉｏｎ）をさらに含めて基地局に転送することができる（Ｓ７０２）。
【０１１６】
基地局は、端末から受信した呼到着率及び／または移動速度情報をページング制御器に伝達することができる（Ｓ７０３）。
【０１１７】
ページング制御器は、現在の端末の呼到着率及び／または移動速度情報を用いて、端末に最適化されたページンググループを割り当てることができる。すなわち、端末が、正規モードで受信した呼の到着率及び／または移動速度情報が所定の基準値よりも大きい場合には、ページング制御器は、端末の遊休モードへの進入時にＳＰＧ（例えば、主ページンググループ）を割り当てることができる。もし、呼の到着率及び／または移動速度情報が所定の基準値よりも小さい場合には、端末にＬＰＧ（例えば、副ページンググループ）を割り当てることができる。ページング制御器は、端末に割り当てたページンググループに関するページンググループ情報（Ｐａｇｉｎｇ  Ｇｒｏｕｐ  Ｉｎｆｏｒｍａｔｉｏｎ）を基地局に伝達することができる（Ｓ７０４）。
【０１１８】
Ｓ７０４段階で、移動端末に一つ以上のページンググループが割り当てられる場合、移動端末のページンググループのうちの一つを主ページンググループとし、残りのページンググループを副ページンググループとすることができる。例えば、本発明の実施例で、ラージページンググループ（ＬＰＧ）は、副ページンググループと同じ概念として用いることができ、スモールページンググループ（ＳＰＧ）は、主ページンググループと同じ概念として用いることができる。もちろん、スモールページンググループが副ページンググループに設定される場合には、ラージページンググループを主ページンググループとすることができる。移動端末が一つのページンググループにのみ割り当てられる場合には、一つのページンググループを主ページンググループと考慮することができる。基地局は、ページング制御器から伝達されたページンググループに関する情報を含む登録解除命令（ＤＲＥＧ−ＣＭＤ）メッセージを端末に転送することができる（Ｓ７０５）。
【０１１９】
端末は、ＤＲＥＧ−ＣＭＤメッセージを受信すると、ＤＲＥＧ−ＣＭＤメッセージに含まれた階層的ページンググループを用いて效率的にページングメッセージを検索することができる。すなわち、図７を参照すると、基地局またはページングコントローラは、端末の正規モードでのユーザー応用特性情報及び／または移動速度情報を用いて、遊休モードに進入する端末に最適化された階層的ページンググループを端末に割り当てることができる。
【０１２０】
下記の表１は、本発明の実施例で使用可能な登録解除要請メッセージフォーマットの一例を表すものである。
【０１２１】
【表１】
2011530856.tif 000006
表１を参照すると、端末が遊休モードに進入するために基地局に転送するＤＲＥＧ−ＲＥＱメッセージは、端末の速度情報（例えば、ＭＳ  Ｍｏｂｉｌｉｔｙ  Ｉｎｆｏｒｍａｔｉｏｎ）及びユーザー応用特性情報（Ｕｓｅｒ  Ａｐｐｌｉｃａｔｉｏｎ  Ｃｈａｒａｃｔｅｒｉｓｔｉｃ）のうちの一つ以上を含むことができる。ユーザー応用特性情報は、８ビットの大きさを有することができ、ここで、１つのビット（例えば、Ｂｉｔ  ＃０）は、呼到着率が用いられる場合を表す。また、端末の速度情報は２ビットの大きさを有することができ、１番目のビット（ｂｉｔ  ＃０）は端末の移動速度を表すことができ、２番目のビット（ｂｉｔ  ＃１）は、端末が正規モードで特定時行ったハンドオーバーの回数を表す。
【０１２２】
また、表１でＤＲＥＧ−ＲＥＱメッセージは、端末が割り当てられるページンググループのタイプを示すフィールドをさらに含むことができる。例えば、ＭＳページンググループタイプ（ＭＳ  Ｐａｇｉｎｇ  Ｇｒｏｕｐ  Ｔｙｐｅ）フィールドは、１ビットの大きさで表すことができる。この場合、ＭＳページンググループタイプが‘０’であれば、高い移動性を有する端末に対するページンググループを示し、‘１’であれば、低い移動性を有する端末に対するページンググループを示すことができる。
【０１２３】
ＭＳページンググループタイプフィールドは、端末が特定条件の下にページンググループを決定する場合に用いられることができ、基地局またはページング制御器で任意に端末にページンググループを割り当てる場合には無視されることができる。
【０１２４】
下記の表２は、本発明の実施例で使用可能な登録解除命令メッセージフォーマットの一例を表すものである。
【０１２５】
【表２】
2011530856.tif 000007
表２を参照すると、ＤＲＥＧ−ＣＭＤメッセージは、端末速度情報（例えば、ＭＳ  Ｍｏｂｉｌｉｔｙ  Ｉｎｆｏｒｍａｔｉｏｎ）フィールド、ユーザー応用特定（Ｕｓｅｒ  Ａｐｐｌｉｃａｔｉｏｎ  Ｃｈａｒａｃｔｅｒｉｓｔｉｃ）フィールド及びページング情報（Ｐａｇｉｎｇ  ｉｎｆｏｒｍａｔｉｏｎ）フィールドのうち一つ以上を含むことができる。また、ＤＲＥＧ−ＣＭＤメッセージは、端末速度臨界値（ＭＳ  Ｓｐｅｅｄ  Ｔｈｒｅｓｈｏｌｄ）フィールドを選択的にさらに含むことができる。
【０１２６】
ここで、端末の速度情報（例えば、、ＭＳ  Ｓｐｅｅｄ）フィールド、ユーザー応用特性情報フィールド及びページング情報フィールドは、端末が遊休モードに進入した後に位置更新を行うために送受信するＲＮＧ−ＲＥＱメッセージ及びＲＮＧ−ＲＳＰメッセージに含まれることができ、端末速度臨界値（ＭＳ  Ｓｐｅｅｄ  Ｔｈｒｅｓｈｏｌｄ）フィールドは、放送チャネル（ＢＣＨ）を通じて伝達されることもできる。
【０１２７】
端末速度臨界値フィールドは、端末が正規モードでＢＣＨを通じて受信して、端末が遊休モードへの進入のためにページンググループを決定するのに使用することができる。また、端末が遊休モードに進入した後にも、所定周期ごとにＢＣＨを受信することによって該当の端末のページンググループを再び決定するのに使用することもできる。
【０１２８】
再び表２を参照すると、ページング情報（ｐａｇｉｎｇ  ｉｎｆｏｒｍａｔｉｏｎ）は、ページングメッセージが転送される周期を示すページング周期（Ｐａｇｉｎｇ  ｃｙｃｌｅ）、ページング周期を決定するページング周期インデックス（Ｐａｇｉｎｇ  Ｃｙｃｌｅ  Ｉｎｄｅｘ）、ＬＰＧに伝達されるページングメッセージが転送されるフレームを示すＬＰＧオフセット（Ｌａｒｇｅ  Ｐａｇｉｎｇ  Ｇｒｏｕｐ  Ｏｆｆｓｅｔ）、ＳＰＧに伝達されるページングメッセージが転送されるフレームを示すＳＰＧオフセット（Ｓｍａｌｌ  Ｐａｇｉｎｇ  Ｇｒｏｕｐ  Ｏｆｆｓｅｔ）、端末に割り当てられたページンググループを示すＬＰＧ  ＩＤ及びＳＰＧ  ＩＤ、端末の移動したＳＰＧの個数を示すＳＰＧ変更カウント（ＳＰＧ  ｃｈａｎｇｅ  ｃｏｕｎｔ）、及び端末の移動した基地局の個数を示す基地局変更カウント（ＢＳ  ｃｈａｎｇｅ  ｃｏｕｎｔ）のうち一つ以上を含むことができる。
【０１２９】
下記の表３は、端末に割り当てられるページンググループを決定するために基地局に転送される端末の速度情報（ＭＳ  ｍｏｂｉｌｉｔｙ  ｉｎｆｏｒｍａｔｉｏｎ）の他の一例を表すものである。
【０１３０】
【表３】
2011530856.tif 000008
表３は、表１及び表２の端末の速度情報に代えて使用することができる。ここで、端末速度情報は２ビットの大きさを有することができ、１番目のビットは現在端末の速力を示し、２番目のビットは特定区間で端末の平均速力を示すことができる。この場合、端末の平均速力を求める方法は、図４及び図５で説明した方法を参照すればいい。
【０１３１】
下記の表４は、ＤＲＥＧ−ＲＥＱ／ＤＲＥＧ−ＣＭＤメッセージに含まれうる端末速度情報（ＭＳ  ｍｏｂｉｌｉｔｙ  ｉｎｆｏｒｍａｔｉｏｎ）のさらに他の一例を表すものである。
【０１３２】
【表４】
2011530856.tif 000009
下記の表５は、ＤＲＥＧ−ＲＥＱ／ＤＲＥＧ−ＣＭＤメッセージに含まれうる端末速度情報（ＭＳ  ｍｏｂｉｌｉｔｙ  ｉｎｆｏｒｍａｔｉｏｎ）のさらに他の一例を表すものである。
【０１３３】
【表５】
2011530856.tif 000010
表４及び表５を参照すると、ＤＲＥＧ−ＲＥＱメッセージ及び／またはＤＲＥＧ−ＣＭＤに含まれる端末速度情報を確認することができる。表４及び表５では、端末の具体的な速度値をＤＲＥＧ−ＲＥＱ／ＣＭＤメッセージに含まず、端末の概略的な速度値のみを当該メッセージに含めてネットワークに知らせる場合を示す。すなわち、表４では、１ビットの大きさで端末の速度が高速（ｈｉｇｈ  ｓｐｅｅｄ）か、または低速（ｌｏｗ  ｓｐｅｅｄ）かを示し、表５では、２ビットの大きさで中速（ｍｅｄｉｕｍ  ｓｐｅｅｄ）も示すことができる。
【０１３４】
２．ＳＰＧからＬＰＧへのページンググループ変更方法
本発明の他の実施例は、ページンググループ変更方法に関するものである。ページンググループを変更する方法には、スモールページンググループ（ＳＰＧ）からラージページンググループ（ＬＰＧ）への変更方法、ＬＰＧからＳＰＧへの変更方法、及び特定ＬＰＧから別のＬＰＧへの変更方法がある。
【０１３５】
まず、ＳＰＧからＬＰＧに変更する方法について説明する。
【０１３６】
本発明の実施例で、ＳＰＧ及びＬＰＧを用いるページング方法は、移動端末（ＭＳ）がネットワークと位置更新を行い、ＭＳの位置をページング制御器に知らせることで可能となる。ただし、高速で移動するＭＳは、ＳＰＧを頻繁に移す確率が高く、続く位置更新によりシグナリングオーバーヘッド（Ｓｉｇｎａｌｉｎｇ  Ｏｖｅｒｈｅａｄ）が増加することがある。
【０１３７】
したがって、本発明のさらに他の実施例では、高速の移動端末が所定のＳＰＧ変更タイマー時間（ＳＰＧ  Ｃｈａｎｇｅ  Ｔｉｍｅｒ）にＳＰＧ変更カウンター臨界値（ＳＰＧ    Ｃｈａｎｇｅ  Ｃｏｕｎｔｅｒ  Ｔｈｒｅｓｈｏｌｄ）以上ＳＰＧを移動する場合、ＭＳの属するページンググループを特定ＳＰＧからＬＰＧに変更する方法を開示する。
【０１３８】
ＳＰＧ変更カウンター（ＳＰＧ  ｃｈａｎｇｅ  ｃｏｕｎｔｅｒ）は、移動端末がＳＰＧを変更する度に１ずつ増加する値である。ＳＰＧ変更カウンターパラメータ及びＢＳ変更カウンターパラメータのうち一つ以上は、放送チャネル（ＢＣＨ：Ｂｒｏａｄｃａｓｔ  Ｃｈａｎｎｅｌ）のＰＢＣＨ（Ｐｒｉｍａｒｙ  ＢＣＨ）及びＳＢＣＨ（Ｓｅｃｏｎｄａｒｙ  ＢＣＨ）のうち一つ以上に含まれることができる。また、ＳＰＧ変更カウンターは、移動端末が位置更新を行うために送受信するＲＮＧ−ＲＥＱ及び／またはＲＮＧ−ＲＳＰメッセージに含まれることもできる。ＳＰＧ変更カウンター値がＳＰＧ変更臨界値を超過する場合、端末のページンググループをＳＰＧからＬＰＧに変更することができる。
【０１３９】
ＳＰＧ変更臨界値（Ｓｍａｌｌ  ｐａｇｉｎｇ  ｇｒｏｕｐ  ｃｈａｎｇｅ  ｔｈｒｅｓｈｏｌｄ）は、移動端末の過度な位置更新を防止するためのパラメータである。ＳＰＧ変更臨界値パラメータはＢＣＨに含まれることができる。好ましくは、ＳＰＧ変更臨界値パラメータは、ＢＣＨのＰＢＣＨまたはＳＢＣＨのいずれかに含まれることができる。また、移動端末が位置更新を行うために送受信するＲＮＧ−ＲＥＱメッセージ及び／またはＲＮＧ−ＲＳＰメッセージに含まれることもできる。
【０１４０】
ＭＳは、ＳＰＧタイマー（ＴＳＰＧ：ＳＰＧ  Ｔｉｍｅｒ）が満了するも前にＳＰＧを臨界値（Ｎ回）以上移動した場合、自身の属するページンググループの変更（例えば、ＳＰＧからＬＰＧに変更）を、ネットワーク（基地局及び／またはページング制御器）に要請することができる。もちろん、基地局またはページング制御器から移動端末（ＭＳ）のページンググループ変更を要請することもできる。本発明のさらに他の実施例では、ＭＳがページンググループの変更を決定して位置更新を行うと想定する。
【０１４１】
ＳＰＧタイマーは、端末のスモールページンググループを変更するために用いるパラメータである。移動端末がＳＰＧに割り当てられると、ＳＰＧタイマーが起動する。ＳＰＧタイマーが満了すると、端末はＳＰＧタイマーを再設定することができる。
【０１４２】
図８は、本発明の他の実施例によって端末でページンググループを変更する過程を示すフローチャートである。
【０１４３】
図８を参照すると、移動端末は、遊休状態で多重セル領域を移動することができる（Ｓ８０１）。
【０１４４】
移動端末が遊休モードに進入した後に、移動端末は位置更新タイマー（Ｌｏｃａｔｉｏｎ  Ｕｐｄａｔｅ  Ｔｉｍｅｒ）を設定することができる。したがって、移動端末は、位置更新タイマーが満了したか否かによって異なる動作を行うことができる（Ｓ８０２）。
【０１４５】
Ｓ８０２段階で位置更新タイマーが満了した場合、移動端末は、現在属しているＳＰＧの基地局と位置更新を行うことができる。
【０１４６】
Ｓ８０２段階で位置更新タイマーが満了していない状態では、移動端末は多重セル領域を移動することができる。この時、移動端末は現在のＳＰＧ領域から別のＳＰＧ領域へと移動することができる（Ｓ８０３）。
【０１４７】
この時、移動端末は別のＳＰＧ領域の基地局と位置更新を行うことができる（Ｓ８０４）。
【０１４８】
Ｓ８０４段階で移動端末が位置更新を行う場合には、大きく２通りがある。その第一には、移動端末が同一ＬＰＧ内の別のＳＰＧ領域へと移動する時に位置更新を行う場合がある。第二には、移動端末が現在のＬＰＧ領域から別のＬＰＧ領域へと移動したり、現在のＬＰＧ領域のＳＰＧから別のＬＰＧ領域のＳＰＧ領域へと移動する時に位置更新を行う場合がある。ここで、別のＬＰＧ領域へと移動する場合には、ＳＰＧ変更カウンターの臨界値にかかわらずに位置更新を行うことが好ましい。
【０１４９】
移動端末は、位置更新を行う度にＳＰＧ変更カウンターを計算することができる（Ｓ８０５）。
【０１５０】
Ｓ８０５段階でＳＰＧ変更カウンター値（ｎ）が所定の臨界値（Ｎ）を越えない場合には、Ｓ８０２段階に移動して、ＳＰＧ変更タイマーの満了したか否かを確認することができる。もし、ＳＰＧ変更タイマーが満了していない場合には、ＳＰＧ変更カウンターの臨界値になるまでＳ８０３乃至Ｓ８０５段階を繰り返すことができる。
【０１５１】
Ｓ８０５段階で、ＳＰＧ変更カウンターが所定の臨界値（Ｎ）を越えた場合には、移動端末は、それ以上位置更新を行わず、ページンググループの変更を試みる。すなわち、移動端末が最大Ｎ回ＳＰＧを移動した場合、移動端末はページンググループをＳＰＧからＬＰＧに変更することができる。このとき、移動端末のページンググループがＬＰＧに変更された場合にのみ位置更新を行い、再びＳＰＧ領域を移動しても位置更新を行わない。こうすると、移動端末は、頻繁な位置更新によるオーバーヘッドを減らすことができる。
【０１５２】
本発明の実施例で、端末、基地局及び／またはページング制御器はそれぞれＳＰＧ変更カウンターを含むことができる。図８では、端末に含まれたＳＰＧ変更カウンターを基準にページンググループ変更過程を説明している。これに限定されず、基地局またはページング制御器でＳＰＧ変更カウンター値がページンググループを変更する条件を満たす場合、基地局またはページング制御器でページンググループの変更を試みることもできる。
【０１５３】
図８で説明した本発明の他の実施例の他の側面として、ネットワーク及び／または移動端末は、移動端末の速度情報に基づいて移動端末のページンググループを変更することができる。例えば、ネットワークは、特定速度臨界値（例えば、低（Ｌｏｗ）、中（Ｍｅｄｉｕｍ）、高（Ｈｉｇｈ））を用いて移動端末のページンググループを変更することができる。
【０１５４】
移動端末には、ネットワークから放送チャネル（ＢＣＨ）を通じて特定速度臨界値が割り当てられることができる。また、移動端末は、ネットワーク進入時に、特定速度臨界値を含む登録応答（ＲＥＧ−ＲＳＰ）メッセージ、レンジング応答メッセージ（ＲＮＧ−ＲＳＰ）または加入者端末基本能力応答（ＳＢＣ−ＲＳＰ）メッセージなどを受信することができる。
【０１５５】
この場合、移動端末が特定速度臨界値を用いてページンググループを変更する方法は、下記の通りである。
【０１５６】
ラージページンググループに属している移動端末の速度が中速臨界値（Ｍｅｄｉｕｍ  ｓｐｅｅｄ  ｔｈｒｅｓｈｏｌｄ）以下であるか、または、低速臨界値（Ｌｏｗ  Ｓｐｅｅｄ  ｔｈｒｅｓｈｏｌｄ）に類似する場合、移動端末はネットワークに位置更新を行うことができる。この位置更新時に、移動端末は、自身の速度情報を含むレンジング要請メッセージをネットワークに転送することができる。
【０１５７】
もし、スモールページンググループに属している移動端末の速度が高速臨界値（Ｈｉｇｈ  Ｓｐｅｅｄ  Ｔｈｒｅｓｈｏｌｄ）以上であると、移動端末は位置更新を行うことができる。位置更新過程で、移動端末はレンジング要請メッセージに自身の速度情報を含めてネットワークに報告することができる。ネットワークは、移動端末の報告した速度情報に基づいて移動端末に新しいページンググループを割り当てることができる。
【０１５８】
本発明の実施例でいうネットワークは、基地局（ＢＳ）及び／またはページング制御器（ＰＣ）を含む包括的な概念である。また、特定速度臨界値を、高（ｈｉｇｈ）と低（Ｌｏｗ）の２状態とすることもできる。この場合に、スモールページンググループに属する移動端末は、自身の移動速度が高速臨界値を超過すると、ネットワークと位置更新を行うことができる。また、ラージページンググループに属する移動端末は、自身の移動速度が低速臨界値以下である場合にネットワークと位置更新を行うことができる。
【０１５９】
本発明の実施例において、高速臨界値、中速臨界値及び低速臨界値は、特定境界値に対して特定した値ではなく、システム状況またはチャネル環境に応じて可変する速度値を指す。したがって、３つのカテゴリーとして端末の移動速度を区分することに特徴がある。
【０１６０】
図９は、本発明のさらに他の実施例に係る階層的ページンググループによるフレーム構造を示す図である。
【０１６１】
移動端末は、スーパーフレームヘッダー（ＳＦＨ：Ｓｕｐｅｒ  Ｆｒａｍｅ  Ｈｅａｄｅｒ）の放送チャネル（ＢＣＨ：Ｂｒｏａｄｃａｓｔ  Ｃｈａｎｎｅｌ）に含まれたページンググループ識別子（Ｐａｇｉｎｇ  Ｇｒｏｕｐ  ＩＤ）フィールドと遊休モード進入時に割り当てられたページンググループ識別子とを比較することで、自身が別のページンググループに移動したか否かを判断することができる。
【０１６２】
移動端末は次のような状況で位置更新を行うことができる。まず、ラージページンググループ（ＬＰＧ）が変更された場合に位置更新を行うことで、新しいＬＰＧの識別子のようなページング情報を獲得することができる。
【０１６３】
また、特定時間（例えば、ＳＰＧ変更カウンター）にＳＰＧを臨界値以上移動した場合に位置更新を行うことができる。この場合、端末は位置更新を行うことによって、自身の属するページンググループをＳＰＧからＬＰＧに変更するように要請することができる。
【０１６４】
また、位置更新タイマー（Ｌｏｃａｔｉｏｎ  Ｕｐｄａｔｅ  Ｔｉｍｅｒ）が満了した場合、端末は、位置更新を行うことで、現在自身の属しているページンググループに関するページング情報を獲得することができる。
【０１６５】
また、スモールページンググループに属している移動端末の速度が高速臨界値を超過すると、移動端末はネットワークと位置更新を行うことができる。また、ラージページンググループに属している移動端末の速度が中速臨界値に類似するか、または、低速臨界値以下であると、移動端末はネットワークと位置更新を行うことができる。
【０１６６】
端末は上記のような場合に位置更新を行うことによって、現在自身の属しているページンググループに関するページング情報を獲得することができる。また、端末は、現在自身の位置を基地局またはページング制御器に知らせることによって效率的にページングを行うことができる。
【０１６７】
図９を参照すると、１スーパーフレーム（例えば、２０ｍｓ）は、４個のフレームを含み、１フレーム（例えば、５ｍｓ）は、８個のサブフレームを含むことができる。この場合、第一のフレーム（Ｆｒａｍｅ  ＃０）の１番目のサブフレームには、スーパーフレームヘッダー（ＳＦＨ）及びダウンリンクスケジューリングチャネル（ＤＬ−ＳＣＨ）が割り当てられることができる。
【０１６８】
ＳＦＨは、放送チャネル（ＢＣＨ）を含むことができ、放送チャネルは、一つ以上のチャネル領域に区分されることができる。本発明の実施例では、一つの放送チャネルが、主放送チャネル（ＰＢＣＨ：Ｐｒｉｍａｒｙ  Ｂｒｏａｄｃａｓｔ  Ｃｈａｎｎｅｌ）と副放送チャネル（ＳＢＣＨ：Ｓｅｃｏｎｄａｒｙ  Ｂｒｏａｄｃａｓｔ  Ｃｈａｎｎｅｌ）とで構成されるとする。
【０１６９】
ここで、主放送チャネルを通じてネットワークで共通に用いられる情報を転送することができ、好ましくは、セルによって容易に変更されない情報を転送することができる。また、副放送チャネルを通じて特定セルまたは特定ＳＰＧで用いられる情報を転送することができ、特に、特定セルまたは特定ＳＰＧによって変更される情報を副放送チャネルを通じて転送することが好ましい。
【０１７０】
以下では、図３に示す階層的ページンググループが用いられる場合に、ＳＦＨに含まれるＢＣＨの割当構造について説明する。
【０１７１】
図９の（ａ）を参照すると、主放送チャネル（ＰＢＣＨ）にはＬＰＧのためのページング情報（ＬＰＧページング情報）が含まれることができ、副放送チャネル（ＳＢＣＨ）にはＳＰＧのためのページング情報（ＳＰＧページング情報）が含まれることができる。
【０１７２】
図９の（ａ）は、一つのネットワークが一つのＬＰＧで構成される場合に適用されることができる。すなわち、ネットワークが一つのＬＰＧで構成されるので、ＬＰＧページング指示子は固定した値とすることができる。したがって、ＬＰＧページング情報はＰＢＣＨに含まれ、ＳＰＧページング情報はＳＢＣＨに含まれることができる。
【０１７３】
図９の（ｂ）を参照すると、副放送チャネル（ＳＢＣＨ）にＬＰＧのためのページング情報（ＬＰＧページング情報）及びＳＰＧのためのページング情報（ＳＰＧページング情報）が含まれることができる。図９の（ｂ）は、一つのネットワークに一つ以上のＬＰＧが含まれ、各ＬＰＧによってＳＰＧ識別子が再び割り当てられる場合（図３の説明を参照）に適用することができる。端末がＬＰＧを移動すると、ＬＰＧによってページング指示子値が変更される。したがって、ＬＰＧページング情報もＳＢＣＨに含まれることが好ましい。この場合、主放送チャネル（ＰＢＣＨ）には、ネットワークに共通して適用される情報が割り当てられることができる。
【０１７４】
図９の（ｃ）を参照すると、主放送チャネルには、ネットワークに共通して用いられる情報が割り当てられ、副放送チャネルには、ＳＰＧページング情報が割り当てられることができる。図９の（ｃ）は、ＳＰＧがＬＰＧと独立して割り当てられる場合（図３の説明を参照）に適用可能なフレーム構造である。したがって、移動端末は、ＳＰＧページング情報に含まれたＳＰＧ  ＩＤを確認することによって、該当のＳＰＧを含むＬＰＧに関する情報も把握できる。
【０１７５】
図９で、ＬＰＧページング情報は、ＬＰＧ  ＩＤ及びページング指示子（Ｐａｇｉｎｇ  ｉｎｄｉｃａｔｏｒ）を含むことができ、ＳＰＧページング情報は、ＳＰＧ  ＩＤ及びページング指示子を含むことができる。
【０１７６】
３．ＬＰＧからＳＰＧへのページンググループ変更方法
本発明のさらに他の実施例として、ＬＰＧからＳＰＧへとページンググループを変更する方法について説明する。
【０１７７】
本発明の実施例は、ＳＰＧ及びＬＰＧを用いてページンググループを運営する方法を開示する。本発明の実施例では、移動端末（ＭＳ）が所定回数だけＳＰＧを移動するとＬＰＧにページンググループを変更する。したがって、充分の時間が経つと、ＳＰＧに属する相当数のＭＳがＬＰＧにページンググループを変更することになり、ＬＰＧに属するＭＳの個数が増加することがある。これは、ＭＳ及び基地局の両方にとってオーバーヘッドとして作用することができる。
【０１７８】
すなわち、ＭＳの立場では、ページング制御器が自身にページングをしなかったにもかかわらず、ＭＳに伝達されるページングメッセージがあるか否か確認するために余分の電力を消耗することになる。また、基地局の立場では、ＭＳに伝達すべきページングメッセージのサイズが増加するという問題点が生じうる。
【０１７９】
そこで、本発明のさらに他の実施例では、階層的ページング構造（ｈｉｅｒａｒｃｈｉｃａｌ  ｐａｇｉｎｇ  ｓｔｒｕｃｔｕｒｅ）において端末がＬＰＧからＳＰＧへとページンググループを変更するための位置更新（ｌｏｃａｔｉｏｎ  ｕｐｄａｔｅ）方法を開示する。
【０１８０】
図１０は、本発明のさらに他の実施例に係るページンググループ変更方法の一例を示す図である。
【０１８１】
図１０を参照すると、端末は、サービング基地局からＬＰＧタイマー（ＴＬＰＧ；ＬＰＧ  Ｔｉｍｅｒ）フィールド及びＢＣＨ周期情報（ＰＢＣＨ＿ＣＨＥＣＫ＿ＩＮ＿ＩＤＬＥ＿ＭＯＤＥ）を含むページング情報を獲得することができる。この時、ＬＰＧタイマーは、端末のＬＰＧに属する時間を示すタイマーで、端末のラージページンググループを変更するために用いられるパラメータである。端末がＬＰＧに割り当てられるとＬＰＧタイマーは動作する。ＬＰＧタイマーが満了すると、端末はＬＰＧタイマーを新しく再設定（ｒｅｓｅｔ）することができる。また、ＢＣＨ周期情報（ＰＢＣＨ＿ＣＨＥＣＫ＿ＩＮ＿ＩＤＬＥ＿ＭＯＤＥ）は、端末の属するページンググループが変更されたか否かを確認するためにＢＣＨを検索する固定的な周期または可変的な周期のことを意味する。ＬＰＧタイマーフィールド及びＢＣＨ周期情報はＢＣＨに含まれることができ、ＢＣＨのＰＢＣＨまたはＳＢＣＨのいずれかに含まれることが好ましい（Ｓ１００１）。
【０１８２】
Ｓ１００１段階で、ＬＰＧタイマー及びＢＣＨ周期情報は、端末が最初に遊休モードに進入する時にＬＰＧにページンググループが割り当てられる場合に、またはＳＰＧからＬＰＧに変更される場合に、基地局から割り当てられることができる。この場合、端末が最初にＬＰＧに割り当てられる場合には、ＤＲＥＧ−ＣＭＤメッセージに当該ページング情報が含まれることができる。また、端末の割り当てられたページンググループがＳＰＧからＬＰＧに変更される場合には、ＲＮＧ−ＲＳＰメッセージに当該ページング情報が含まれて端末に転送されることができる。ＢＣＨ検索周期は位置更新のためのもので、ＬＰＧタイマー期間よりも短いことが好ましい。
【０１８３】
ＬＰＧタイマーは、端末がＬＰＧに割り当てられる時点から起動する（Ｓ１００２）。
【０１８４】
このＬＰＧタイマーが満了しないと、端末はＢＣＨ周期情報に基づいて固定した周期でＢＣＨを検索することができる（Ｓ１００３）。
【０１８５】
端末は、特定時間（例えば、ＬＰＧタイマー）の間にＳＰＧを所定臨界値（Ｎ回）以上変更したか否かによってページンググループの変更を決定することができる。この時、端末はＳＰＧ変更カウンターを用いて端末がページンググループを変更した回数をチェックすることができる（Ｓ１００４）。
【０１８６】
Ｓ１００４段階でＳＰＧ変更カウンターの代わりにＢＳ変更カウンターを用いることもできる。ＢＳ変更カウンターは、移動端末が基地局を何回移動したかを示すものである。したがって、端末、基地局またはページング制御器は、ＢＳ変更カウンターを用いて端末がＢＳを所定回数以上変更したか否かをチェックし、その結果に基づいてページンググループを変更するか否かを決定することができる。
【０１８７】
もし、Ｓ１００４段階で端末のＳＰＧ変更カウンターが所定の臨界値（Ｎ回）未満であると、端末及び／または基地局は、端末の移動性が低いと判断することができる。したがって、端末は、ＬＰＧからＳＰＧにページンググループを変更すると決定することができる。この場合、端末はページンググループをＬＰＧからＳＰＧに変更するために位置更新を行うことができる（Ｓ１００５）。
【０１８８】
もし、Ｓ１００４段階でＳＰＧ変更カウンター値が所定の臨界値（Ｎ回）以上であると、端末及び／または基地局は端末の移動性が高いと判断し、端末のページンググループを変更せずに引き続きＬＰＧを維持することができる（Ｓ１００７）。
【０１８９】
一方、Ｓ１００２段階でＬＰＧタイマーが満了すると、端末は２通りの動作を行うことができる。
【０１９０】
その一つ（Ｙｓｅ（１））は、ＬＰＧタイマーを再設定することで引き続きＬＰＧを維持し、ＢＣＨ周期情報に基づいてＢＣＨを検索することができる。この時、ＳＰＧ変更カウンター値に基づいて端末の属しているページンググループを変更したり維持したりすることができる。
【０１９１】
もう一つ（Ｙｅｓ（２））は、ＬＰＧタイマーが満了した場合、端末がＳＰＧ領域へとページンググループを変更することができる。本発明の実施例で、端末及び基地局は、ＳＰＧ変更カウンターを運用する。この場合、一度ＬＰＧに属するようになった端末が継続してＬＰＧに属していると、結局としては、多数の端末がＬＰＧに属することになる。こうなると、システム内部のオーバーヘッドが増加する問題点につながる。したがって、所定のＬＰＧカウンター値が満了すると、端末がＬＰＧからＳＰＧにページンググループを変更することが好ましい。
【０１９２】
図１１は、本発明のさらに他の実施例であって、ＬＰＧからＳＰＧにページンググループを変更するための位置更新方法を示す図である。
【０１９３】
端末はＳＰＧからＬＰＧにページンググループが変更されたり、最初にＬＰＧにページンググループが割り当てられる場合に、ＬＰＧタイマー及びＢＣＨ周期情報を含むページング情報を獲得することができる。したがって、端末は、ＢＣＨ周期情報に基づいて既に設定された（ｐｒｅ−ｄｅｆｉｎｅｄ）周期ごとにページンググループが変更されたか否かを確認するためにダウンリンクチャネル（例えば、ＢＣＨ）を検索することができる。
【０１９４】
端末は、特定時間（ＬＰＧ  ｔｉｍｅｒ、端末がＬＰＧに割り当てられた場合に起動する）の間に、既に設定された周期（例えば、所定の固定した周期）ごとにＢＣＨを確認することができる。この時、ＢＣＨに含まれたＳＰＧが臨界値以上変更されていない場合、端末は自身を移動性の低い端末（ｌｏｗ  ｍｏｂｉｌｉｚｅｄ  ＭＳ）と判断することができる。したがって、端末は、ページンググループをＬＰＧからＳＰＧに変更するようにページング制御器に要請するために位置更新を行うことができる。
【０１９５】
図１１で説明した方法を用いることによって、タイマーが満了する度にレガシーシステムにより位置更新が行われる代わりに、端末は、必要な場合にのみ位置更新を行うことができ、よって、アップリンクオーバーヘッド及びページングオーバーヘッドを減らすことができる。
【０１９６】
本発明の他の側面として、図１１で、所定の周期ごとに転送されるＢＣＨには、端末がページンググループタイプを決定するのに用いうる所定のパラメータ（例えば、端末速度臨界値；表１参照）が含まれることができる。端末は遊休モードに進入した後においてもこのような所定のパラメータ値を用いて、自身のページンググループタイプを引き続き維持したり、変更したりすることができる。
【０１９７】
例えば、現在ページンググループがＳＰＧである端末は、端末自身の速度が臨界値（ＤＲＥＧ−ＣＭＤまたはＢＣＨを通じて受信）以上である場合、ページンググループタイプをＳＰＧからＬＰＧに変更するように要請するための位置更新過程を行うことができる。また、端末は、現在自身の速度が臨界値（ＤＲＥＧ−ＣＭＤを通じて受信）以下の場合、既存ページンググループを引き続き維持することができる。
【０１９８】
４．ＬＰＧからＬＰＧへのページンググループ変更方法
ネットワークシステムが一つ以上のＬＰＧを含むことができる。この場合、端末は特定ＬＰＧに属しており、別のＬＰＧに移動することができる。このとき、端末は位置更新を行うことができる。
【０１９９】
５．ページンググループ変更のための位置更新方法
図１２は、本発明の実施例によって、ページンググループを変更するための位置更新過程を示す図である。
【０２００】
移動端末には一つ以上のページンググループが割り当てられることができる。この場合、ページンググループのうちの一つを主ページンググループとし、残りのページンググループを副ページンググループとすることができる。例えば、本発明の実施例で、ラージページンググループ（ＬＰＧ）は副ページンググループと同じ概念に用いることができ、スモールページンググループ（ＳＰＧ）は主ページンググループと同じ概念に用いることができる。もちろん、スモールページンググループが副ページンググループに設定される場合には、ラージページンググループを主ページンググループとすることができる。
【０２０１】
図１２を参照すると、移動端末（ＭＳ）は、ページンググループを変更するか否かを決定することができる。このページンググループの変更は、上記の本発明の実施例（例えば、図８乃至図１１）によるもので、ＳＰＧからＬＰＧへのページンググループ変更、ＬＰＧからＳＰＧへのページンググループ変更、及びＬＰＧからＬＰＧへのページンググループ変更のうちの一つとすることができる（Ｓ１２０１）。
【０２０２】
本発明の実施例では、主に、ＭＳでページンググループの変更を決定する方法を取り上げたが、ユーザーの要求事項または通信環境に応じて基地局（ＢＳ）またはページング制御器（ＰＣ）でＭＳのページンググループの変更を要請することもできる。
【０２０３】
ＭＳは、ページンググループを変更するために現在のＢＳと位置更新を行うことができる。したがって、ＭＳはＢＳに、ＭＳの移動速度情報（ＭＳ  Ｍｏｂｉｌｉｔｙ  Ｉｎｆｏｒｍａｔｉｏｎ）を含むレンジング要請（ＭＯＢ＿ＲＮＧ−ＲＥＱ）メッセージを転送することができる。この時、ＭＳ移動速度情報は、ＭＳに新しいページンググループを割り当てるために用いられることができる（Ｓ１２０２）。
【０２０４】
下記の表６は、レンジング要請メッセージフォーマットの一例を表すものである。
【０２０５】
【表６】
2011530856.tif 000011
表６は、端末がページンググループを変更するか否かを直接決定する場合に用いられるレンジング要請（ＭＯＢ＿ＲＮＧ−ＲＥＱ）メッセージを示す。表６を参照すると、レンジング要請メッセージは、ページング制御器識別子（ｐａｇｉｎｇ  ｃｏｎｔｒｏｌｌｅｒ  ＩＤ）及びページンググループ識別子（ｐａｇｉｎｇ  ｇｒｏｕｐＩＤ）を含むことができる。ページンググループ識別子は、端末が変更しようとするページンググループの識別子で、ＬＰＧ  ＩＤまたはＳＰＧ  ＩＤのいずれかとすることができる。ここで、ＬＰＧ  ＩＤ及びＳＰＧ  ＩＤは、ＢＣＨ周期情報に基づいて検索したＢＣＨに含まれたページンググループの識別子である。
【０２０６】
下記の表７は、レンジング要請メッセージフォーマットの他の例である。
【０２０７】
【表７】
2011530856.tif 000012
表７は、ページング制御器が端末に割り当てられるページンググループを決定する場合に用いられるレンジング要請メッセージである。表７のレンジング要請メッセージは、ページング制御器識別子、位置更新タイプ（Ｌｏｃａｔｉｏｎ  Ｕｐｄａｔｅ  Ｔｙｐｅ）フィールドを含むことができる。端末は、自身の状態（例えば、ページンググループ変更カウンター（ｐａｇｉｎｇ  ｇｒｏｕｐ  ｃｈａｎｇｅ  ｃｏｕｎｔ）または端末の移動速度（ＭＳ  ｓｐｅｅｄ））に基づいてページンググループを変更するか否かを決定することができる。
【０２０８】
表７を参照すると、位置更新タイプ（ｌｏｃａｔｉｏｎ  ｕｐｄａｔｅ  ｔｙｐｅ）フィールドは、１ビットの大きさを有することができ、‘０’の場合はＬＰＧを表し、‘１’の場合はＳＰＧを表すことができる。すなわち、端末は、位置更新タイプ（例えば、ＬＰＧまたはＳＰＧ）のうちの一つを選択してネットワークに転送することができる。レンジング要請メッセージを受信したページング制御器（Ｐａｇｉｎｇ  ｃｏｎｔｒｏｌｌｅｒ）は、位置更新タイプに基づいて端末のページンググループを決定することができる。また、ページング制御器または基地局は、端末に割り当てたページンググループをＲＮＧ−ＲＳＰメッセージを通じて端末に知らせることができる。
【０２０９】
表６及び表７で、レンジング要請メッセージは、ユーザー応用特性情報及び端末速度情報のうち一つ以上をさらに含むことができる。ここで、ユーザー応用特性情報及び端末速度情報は、表１乃至表５で説明したものと同じ機能を果たすことができる。
【０２１０】
再び図１２を参照すると、Ｓ１２０２段階で端末からレンジング要請（ＲＮＧ−ＲＥＱ）メッセージを受信した基地局は、端末にページンググループを割り当てることができる。基地局は、ＭＳ移動速度情報に基づいて端末に異なる大きさのページンググループを割り当てることができる。したがって、基地局は、レンジング応答（ＭＯＢ＿ＲＮＧ−ＲＳＰ）メッセージを用いて、新しいページンググループに関する情報を端末に知らせることができる（Ｓ１２０３）。
【０２１１】
下記の表８は、端末のページンググループを変更するために転送するレンジング応答メッセージフォーマットの一例である。
【０２１２】
【表８】
2011530856.tif 000013
表８を参照すると、レンジング応答メッセージは、位置更新トリガーＴＬＶ説明フィールド（Ｌｏｃａｔｉｏｎ  Ｕｐｄａｔｅ  ｔｒｉｇｇｅｒ  ＴＬＶ  ｄｅｓｃｒｉｐｔｉｏｎ  ｆｉｅｌｄ）、ページング情報（Ｐａｇｉｎｇ  Ｉｎｆｏｒｍａｔｉｏｎ）及びページング制御器識別子（Ｐａｇｉｎｇ  Ｃｏｎｔｒｏｌｌｅｒ  ＩＤ）などを含むことができる。
【０２１３】
下記の表９は、位置更新トリガーＴＬＶ説明フィールド（Ｌｏｃａｔｉｏｎ  Ｕｐｄａｔｅ  ｔｒｉｇｇｅｒ  ＴＬＶ  ｄｅｓｃｒｉｐｔｉｏｎ  ｆｉｅｌｄ）のフォーマットの一例である。
【０２１４】
【表９】
2011530856.tif 000014
表９は、本発明の実施例で使用可能な位置更新トリガーＴＬＶ説明フィールドの一例を表すものである。
【０２１５】
表９を参照すると、位置更新トリガーＴＬＶ説明フィールドは、タイプ（Ｔｙｐｅ）パラメータ、機能（Ｆｕｎｃｔｉｏｎ）パラメータ、及び動作（Ａｃｔｉｏｎ）パラメータを含むことができる。タイプパラメータは表９のタイプを示し、機能パラメータは、１バイトの大きさを有することができる。ここで、０ｘ０ビットは位置更新の成功を示し、０ｘ１ビットは位置更新の失敗を示す。０ｘ２ビットは、位置更新成功及びＤＬトラフィックがあることを示し、０ｘ３ビットは、ページンググループ変更の成功を示し、０ｘ４ビットはページンググループ変更の失敗を示すことができる。また、０ｘ５乃至０ｘ７ビットは、予約された値である。
【０２１６】
表９で、動作フィールドは１バイトの大きさを有することができる。この動作フィールドにおいて、０ｘ０ビットは、該当のＲＮＧ−ＲＳＰがページンググループの割当後のページンググループ識別子を含むことを示す。０ｘ１ビットは、転送タイマー以降にページンググループ変更を目的とする位置更新を再び試みる場合を示す。また、０ｘ２ビットは、最大ｎ回までページンググループを変更する場合における位置更新時にレンジング要請を再び試みる場合を示す。０ｘ３ビットは、遊休モードの終了を示す。０ｘ４ビット乃至０ｘ７ビットは、予約された値である。
【０２１７】
下記の表１０は、表８のページング情報フィールドフォーマットの一例である。
【０２１８】
【表１０】
2011530856.tif 000015
表１０を参照すると、ページング情報フィールドは、ページング周期（Ｐａｇｉｎｇ  Ｃｙｃｌｅ）、ページングオフセット（Ｐａｇｉｎｇ  Ｏｆｆｓｅｔ）及びページンググループ情報を含むことができる。ここで、ページンググループ情報はＭＳの移動速度情報に基づいて基地局で決定される。ページンググループ情報には、ＬＰＧ  ＩＤ及びＳＰＧ  ＩＤのうち一つ以上が含まれることができる。
【０２１９】
ページング周期は、ページンググループに転送されるページングメッセージの転送周期を示し、ページングオフセットは、ページングメッセージが転送される周期での割当フレームを示す。ＬＰＧ  ＩＤは、端末に割り当てられたＬＰＧの識別子を示し、ＳＰＧ  ＩＤは、端末に割り当てられたＳＰＧの識別子を示す。
【０２２０】
図１２で、端末がページンググループの変更を決定すると、端末及び基地局は位置更新を行うことによって、端末に割り当てられたページンググループを変更することができる。
【０２２１】
図１３は、本発明のさらに他の実施例であって、端末がページンググループを決定する方法の一例を示す図である。
【０２２２】
図１３を参照すると、基地局（ＢＳ）は端末（ＭＳ）に放送チャネル（ＢＣＨ）を転送することができる。基地局は、放送チャネル（ＢＣＨ）を通じて端末速度臨界値（ＭＳ  Ｓｐｅｅｄ  Ｔｈｒｅｓｈｏｌｄ）パラメータ、最大ハンドオーバーカウント（ＭＡＸ  Ｈａｎｄｏｖｅｒ  Ｃｏｕｎｔ）パラメータ、呼パケット到着率臨界値（Ｃａｌｌ  ｏｒ  Ｐａｃｋｅｔ  Ａｒｒｉｖａｌ  Ｒａｔｅ  Ｔｈｒｅｓｈｏｌｄ）パラメータ及び最大選好ＢＳカウント（ＭＡＸ  Ｐｒｅｆｅｒｒｅｄ  ＢＳ  Ｃｏｕｎｔ）パラメータのうち一つ以上を端末に転送することができる。ここで、ＢＣＨは周期的に転送されることもでき、所定のイベントが発生する度に端末に転送されることもできる（Ｓ１３０１）。
【０２２３】
下記の表１１は、Ｓ１３０１段階で使用可能なＢＣＨフォーマットの一部を表すものである。
【０２２４】
【表１１】
2011530856.tif 000016
表１１を参照すると、端末速度臨界値フィールドは、端末の速度に基づいてページンググループタイプを決定する臨界値を示す。基地局は、ＢＣＨを通じてＭＳ速度臨界値パラメータ、最大選好ＢＳカウント、最大ハンドオーバーカウント及び呼パケット到達率臨界値パラメータのうち一つ以上を端末に転送することができる。
【０２２５】
端末は、これらのカウント値及び臨界値のうち一つ以上を用いてページンググループタイプを決定することができる。図１３を参照すると、端末は、基地局から転送されたＢＣＨをデコーディングし、上記の表１１のパラメータを用いて遊休モード進入時のページンググループタイプ（Ｐａｇｉｎｇ  Ｇｒｏｕｐ  Ｔｙｐｅ）を決定することができる（Ｓ１３０２）。
【０２２６】
以下では、Ｓ１３０２段階で利用可能な端末のページンググループタイプを決定する方法について説明する。
【０２２７】
第一の方法として、端末は、正規モード状態における端末の速度と端末速度臨界値フィールド値とを比較することによって、端末の遊休モード状態への進入時のページンググループを決定することができる（表１及び表１１を参照）。ここで、端末速度臨界値フィールドは、端末が遊休モードに進入した後にも使用することができる。
【０２２８】
例えば、端末が遊休モードでＢＣＨを通じて端末速度臨界値フィールドを受信すると、端末は、端末の速度に基づいてページンググループタイプ（ＬＰＧ  ｏｒ  ＳＰＧ）を変更するか、または既存のページンググループタイプを維持するかを決定することができる。この場合、端末の速度臨界値の単位は、Ｋｍ／ｈｏｕｒとすることが好ましい。
【０２２９】
第二の方法として、端末は最大ハンドオーバーカウント（ＭＡＸ  Ｈａｎｄｏｖｅｒ  ｃｏｕｎｔ）値を用いてページンググループを決定することができる。最大ハンドオーバーカウント値は、ＢＣＨを通じて端末に転送されることができる。端末は、正規モード（ｎｏｒｍａｌ  ｍｏｄｅ）で自身が行ったハンドオーバーの回数と最大ハンドオーバーカウントとを比較することによって、遊休モードへの進入時に自身のページンググループを決定することができる。
【０２３０】
第三の方法として、端末は、端末が正規モードで受信した呼またはパケットを通じて測定した呼の到着率（ｃａｌｌ  ａｒｒｉｖａｌ  ｒａｔｅ）と表１１のＢＣＨを通じて受信した呼パケット到着率臨界値とを比較して、端末のページンググループタイプを決定することができる。
【０２３１】
第四の方法として、端末は、ＢＣＨを通じて受信した最大選好ＢＳカウント（ＭＡＸ  Ｐｒｅｆｅｒｒｅｄ  ＢＳ  Ｃｏｕｎｔ）値を用いてページンググループタイプを決定することができる。選好ＢＳパラメータは、サービングセルから別のセルに移動している正規モードの端末が、目的地のセルとして最も選好する隣接セルを示すパラメータである。端末は、正規モードで選好ＢＳカウントと最大選好ＢＳカウントとを比較することによってページンググループタイプを決定することができる。
【０２３２】
端末は、上記Ｓ１３０２段階で決定したページンググループタイプパラメータをＤＲＥＧ−ＲＥＱメッセージ（表１参照）を通じてサービング基地局に転送することができる（Ｓ１３０３）。
【０２３３】
サービング基地局は、端末が決定したページンググループタイプパラメータをページング制御器（ＰＣ）に伝達することができる（Ｓ１３０４）。
【０２３４】
ページング制御器（ＰＣ）は、端末が決定したページンググループタイプ（ｐａｇｉｎｇ  ｇｒｏｕｐ  ｔｙｐｅ）パラメータを参照して端末のページンググループを決定することができる。また、ページング制御器は、端末の要求したページンググループタイプが現在通信環境に適していないと判断すると、端末が転送したページンググループタイプフィールドによらずに任意に最適のページンググループを決定することができる（Ｓ１３０５）。
【０２３５】
ページング制御器はサービング基地局に、端末に割り当てられるページンググループのタイプを伝達し（Ｓ１３０６）、サービング基地局は、端末のページンググループタイプ情報を含む登録解除命令（ＤＲＥＧ−ＣＭＤ）メッセージを端末に転送することができる（Ｓ１３０７）。
【０２３６】
このような過程によって、端末は、遊休モードに進入する前に自身のページンググループタイプを決定し、遊休モードへの進入時に最適のページンググループが割り当てられることができる。
【０２３７】
基地局は、周期的にまたは特定時間ごとに表１１のパラメータ値を含むＢＣＨを端末に転送することができる。この時、用いられるＢＣＨは、図９を参照すればいい（Ｓ１３０８）。
【０２３８】
端末は、遊休モードに進入した後においても、Ｓ１３０８段階で端末に転送されるパラメータ値を用いて、自身のページンググループタイプを引き続き維持したり変更したりすることができる。例えば、現在のページンググループがＳＰＧである端末は、端末自身の速度が臨界値（ＤＲＥＧ−ＣＭＤまたはＢＣＨを通じて受信）以上である場合、ページンググループタイプをＳＰＧからＬＰＧに変更するように要請するための位置更新過程を行うことができる。また、端末は、現在自身の速度が臨界値（例えば、ＤＲＥＧ−ＣＭＤを通じて受信）以下の場合、既存のページンググループを引き続き維持することができる。
【０２３９】
上述した本発明の実施例の構成及び段階は互いに組み合わせることができる。また、本発明は、本発明の精神及び必須特徴を逸脱しない範囲で別の特定の形態に具体化することができる。したがって、上記の詳細な説明はいずれの面においても制約的に解釈されてはならず、例示的なものとして考慮されるべきである。本発明の範囲は、添付した請求の範囲の合理的解釈により定められなければならず、よって、本発明の等価的範囲内における変更はいずれも本発明の範囲に含まれる。また、特許請求の範囲で明示的な引用関係を有しない請求項を結合して実施例を構成することもでき、出願後の補正により新しい請求項として含めることもできる。
【産業上の利用可能性】
【０２４０】
本発明の実施例は様々な無線接続システムに適用することができる。様々な無線接続システムには、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これらの様々な無線接続システムの他に、様々な無線接続システムを応用したあらゆる技術分野に適用することができる。
【図１】
2011530856.tif 000017
【図２】
2011530856.tif 000018
【図３】
2011530856.tif 000019
【図４】
2011530856.tif 000020
【図５】
2011530856.tif 000021
【図６】
2011530856.tif 000022
【図７】
2011530856.tif 000023
【図８】
2011530856.tif 000024
【図９】
2011530856.tif 000025
【図１０】
2011530856.tif 000026
【図１１】
2011530856.tif 000027
【図１２】
2011530856.tif 000028
【図１３】
2011530856.tif 000029
【手続補正書】
【提出日】平成23年2月14日(2011.2.14)
【手続補正１】
【補正対象書類名】明細書
【補正対象項目名】００４０
【補正方法】変更
【補正の内容】
【００４０】
遊休モードの移動端末の位置更新を支援する基地局は、移動端末の移動速度を示す移動速度情報を含むレンジング要請（ＲＮＧ−ＲＥＱ）メッセージを受信する手段と、新しいページンググループに関するページンググループ情報を含むレンジング応答（ＲＮＧ−ＲＳＰ）メッセージを転送する手段と、を含むことができる。新しいページンググループは、移動速度情報に基づいて割り当てられることができる。
（項目１）
遊休モードの移動端末の位置更新方法であって、
前記移動端末の移動速度を示す移動速度情報を含むレンジング要請（ＲＮＧ−ＲＥＱ）メッセージを基地局に転送する段階と、
前記基地局から新しいページンググループに関するページンググループ情報を含むレンジング応答（ＲＮＧ−ＲＳＰ）メッセージを受信する段階と、
を含み、
前記新しいページンググループは前記移動速度情報に基づいて割り当てられる、位置更新方法。
（項目２）
前記移動速度は、前記移動端末の速度を低速、中速及び高速のうちの一つで表す、項目１に記載の位置更新方法。
（項目３）
前記遊休モードを開始するために登録解除要請メッセージを前記基地局に転送する段階と、
前記基地局から前記遊休モードの開始を許諾する登録解除命令メッセージを受信する段階と、
をさらに含む、項目１に記載の位置更新方法。
（項目４）
前記移動端末は一つ以上のページンググループに割り当てられる、項目１に記載の位置更新方法。
（項目５）
前記一つ以上のページンググループのうち、一つのページンググループは主ページンググループであり、残りのページンググループは副ページンググループである、項目４に記載の位置更新方法。
（項目６）
前記主ページンググループはラージページンググループであり、前記副ページンググループはスモールページンググループである、項目５に記載の位置更新方法。
（項目７）
前記主ページンググループはスモールページンググループであり、前記副ページンググループはラージページンググループである、項目５に記載の位置更新方法。
（項目８）
前記主ページンググループと前記副ページンググループは互いに異なる大きさを有する、項目５に記載の位置更新方法。
（項目９）
前記基地局は一つ以上のページンググループに属している、項目１に記載の位置更新方法。
（項目１０）
遊休モードの移動端末の位置更新を支援する方法であって、
前記移動端末の移動速度を示す移動速度情報を含むレンジング要請（ＲＮＧ−ＲＥＱ）メッセージを受信する段階と、
新しいページンググループに関するページンググループ情報を含むレンジング応答（ＲＮＧ−ＲＳＰ）メッセージを転送する段階と、
を含み、
前記新しいページンググループは前記移動速度情報に基づいて割り当てられる、位置更新支援方法。
（項目１１）
前記移動速度は、前記移動端末の速度を低速、中速及び高速のうちの一つで表す、項目１０に記載の位置更新支援方法。
（項目１２）
前記遊休モードを開始するための登録解除要請メッセージを前記移動端末から受信する段階と、
前記移動端末に前記遊休モードの開始を許諾する登録解除命令メッセージを転送する段階と、をさらに含む、項目１０に記載の位置更新支援方法。
（項目１３）
前記移動端末は一つ以上のページンググループに割り当てられる、項目１０に記載の位置更新支援方法。
（項目１４）
前記一つ以上のページンググループのうち、一つのページンググループは主ページンググループであり、残りのページンググループは副ページンググループである、項目１３に記載の位置更新支援方法。
（項目１５）
前記主ページンググループはラージページンググループであり、前記副ページンググループはスモールページンググループである、項目１４に記載の位置更新支援方法。
（項目１６）
前記主ページンググループはスモールページンググループであり、前記副ページンググループはラージページンググループである、項目１４に記載の位置更新支援方法。
（項目１７）
前記主ページンググループと前記副ページンググループは互いに異なる大きさを有する、項目１４に記載の位置更新支援方法。
（項目１８）
前記基地局は一つ以上のページンググループに属している、項目１０に記載の位置更新支援方法。
（項目１９）
遊休モードで位置更新を行う移動端末であって、
前記移動端末は、前記移動端末の移動速度を示す移動速度情報を含むレンジング要請（ＲＮＧ−ＲＥＱ）メッセージを基地局に転送する手段と、
前記基地局から新しいページンググループに関するページンググループ情報を含むレンジング応答（ＲＮＧ−ＲＳＰ）メッセージを受信する手段と、
を含み、
前記新しいページンググループは前記移動速度情報に基づいて割り当てられる、移動端末。
（項目２０）
遊休モードの移動端末の位置更新を支援する基地局であって、
前記移動端末の移動速度を示す移動速度情報を含むレンジング要請（ＲＮＧ−ＲＥＱ）メッセージを受信する手段と、
新しいページンググループに関するページンググループ情報を含むレンジング応答（ＲＮＧ−ＲＳＰ）メッセージを転送する手段と、
を含み、
前記新しいページンググループは前記移動速度情報に基づいて割り当てられる、基地局。
【手続補正２】
【補正対象書類名】特許請求の範囲
【補正対象項目名】全文
【補正方法】変更
【補正の内容】
【特許請求の範囲】
【請求項１】
遊休モードの移動端末の位置更新方法であって、
前記移動端末が前記位置更新を行うために、前記移動端末の移動速度を示す移動速度情報を含むレンジング要請（ＲＮＧ−ＲＥＱ）メッセージを基地局に転送する段階と、
前記基地局から新しいページンググループに関するページンググループ情報を含むレンジング応答（ＲＮＧ−ＲＳＰ）メッセージを受信する段階と、
を含み、
前記新しいページンググループは前記移動速度情報に基づいて割り当てられる、位置更新方法。
【請求項２】
前記移動速度は、前記移動端末の速度を低速、中速及び高速のうちの一つで表す、請求項１に記載の位置更新方法。
【請求項３】
前記遊休モードを開始するために登録解除要請メッセージを前記基地局に転送する段階と、
前記基地局から前記遊休モードの開始を許諾する登録解除命令メッセージを受信する段階と、
をさらに含み、
前記登録解除要請メッセージは、前記移動端末の正規モードにおける移動速度を示す移動性情報を含む、請求項２に記載の位置更新方法。
【請求項４】
前記移動端末は一つ以上のページンググループに割り当てられ、
前記一つ以上のページンググループのうち、一つのページンググループは主ページンググループであり、残りのページンググループは副ページンググループである、請求項２に記載の位置更新方法。
【請求項５】
前記主ページンググループはスモールページンググループであり、前記副ページンググループはラージページンググループである、請求項４に記載の位置更新方法。
【請求項６】
前記主ページンググループと前記副ページンググループは互いに異なる大きさを有する、請求項４に記載の位置更新方法。
【請求項７】
前記基地局は一つ以上のページンググループに属している、請求項４に記載の位置更新方法。
【請求項８】
遊休モードの移動端末の位置更新を支援する方法であって、
前記移動端末から前記位置更新を行うためのレンジング要請（ＲＮＧ−ＲＥＱ）メッセージを受信する段階と、
新しいページンググループに関するページンググループ情報を含むレンジング応答（ＲＮＧ−ＲＳＰ）メッセージを転送する段階と、
を含み、
前記レンジング要請メッセージは、前記移動端末の移動速度を示す移動速度情報を含み、
前記新しいページンググループは、前記移動速度情報に基づいて前記基地局が割り当てる、位置更新支援方法。
【請求項９】
前記移動速度は、前記移動端末の速度を低速、中速及び高速のうちの一つで表す、請求項８に記載の位置更新支援方法。
【請求項１０】
前記遊休モードを開始するための登録解除要請メッセージを前記移動端末から受信する段階と、
前記移動端末に前記遊休モードの開始を許諾する登録解除命令メッセージを転送する段階と、
をさらに含み、
前記登録解除要請メッセージは、前記移動端末の正規モードにおける移動速度を示す移動性情報を含む、請求項９に記載の位置更新支援方法。
【請求項１１】
前記移動端末は一つ以上のページンググループに割り当てられ、
前記一つ以上のページンググループのうち、一つのページンググループは主ページンググループであり、残りのページンググループは副ページンググループである、請求項９に記載の位置更新支援方法。
【請求項１２】
前記主ページンググループはスモールページンググループであり、前記副ページンググループはラージページンググループである、請求項１１に記載の位置更新支援方法。
【請求項１３】
前記主ページンググループと前記副ページンググループは互いに異なる大きさを有する、請求項１１に記載の位置更新支援方法。
【請求項１４】
前記基地局は一つ以上のページンググループに属している、請求項１１に記載の位置更新支援方法。
【請求項１５】
遊休モードで位置更新を行う移動端末は、
メッセージを転送するための送信端と、
メッセージを受信するための受信端と、
を含み、
前記移動端末は、前記移動端末の移動速度を示す移動速度情報を含むレンジング要請（ＲＮＧ−ＲＥＱ）メッセージを前記送信端を介して基地局に転送し、前記基地局から新しいページンググループに関するページンググループ情報を含むレンジング応答（ＲＮＧ−ＲＳＰ）メッセージを前記受信端を介して受信するように構成され、
前記新しいページンググループは、前記移動速度情報に基づいて割り当てられ、
前記移動速度は、前記移動端末の速度を低速、中速及び高速のうち一つで表す、移動端末。
【請求項１６】
前記移動端末は、前記遊休モードを開始するために登録解除要請メッセージを前記送信端を介して前記基地局に転送し、前記基地局から前記遊休モードの開始を許諾する登録解除命令メッセージを前記受信端を介して受信し、
前記登録解除要請メッセージは、前記移動端末の正規モードにおける移動速度を示す移動性情報を含む、請求項１５に記載の移動端末。
【請求項１７】
前記移動端末は一つ以上のページンググループに割り当てられ、
前記一つ以上のページンググループのうち、一つのページンググループは主ページンググループであり、残りのページンググループは副ページンググループである、請求項１６に記載の位置更新方法。
【請求項１８】
遊休モードの移動端末の位置更新を支援する基地局は、
メッセージを転送するための送信端と、
メッセージを受信するための受信端と、
を含み、
前記基地局は、前記移動端末の移動速度を示す移動速度情報を含むレンジング要請（ＲＮＧ−ＲＥＱ）メッセージを前記受信端を介して受信し、新しいページンググループに関するページンググループ情報を含むレンジング応答（ＲＮＧ−ＲＳＰ）メッセージを前記送信端を介して転送し、
前記新しいページンググループは、前記移動速度情報に基づいて前記基地局が割り当て、
前記移動速度は、前記移動端末の速度を低速、中速及び高速のうちの一つで表す、基地局。
【請求項１９】
前記基地局は、前記遊休モードを開始するための登録解除要請メッセージを前記受信端を用いて前記移動端末から受信し、前記移動端末に前記遊休モードの開始を許諾する登録解除命令メッセージを前記送信端を用いて送信し、
前記登録解除要請メッセージは、前記移動端末の正規モードにおける移動速度を示す移動性情報を含む、請求項１８に記載の基地局。
【請求項２０】
前記移動端末は、一つ以上のページンググループに割り当てられ、
前記一つ以上のページンググループのうち、一つのページンググループは主ページンググループであり、残りのページンググループは副ページンググループである、請求項１８に記載の基地局。
【国際調査報告】
2011530856.tif 000030
2011530856.tif 000031